(57)【要約】  ライトバルブ(111)が、ライトバルブ(111)のグローブ(74)内に配置された取付基盤(76)に取り付けられた複数の発光ダイオード(77)を備える、ライトバルブ(111)とライトバルブホルダ(112)との組合体(110)。取付基盤(76)は、やはり熱伝導材料のエジソン口金ねじ式第１結合要素(73)内に配置されて第１結合要素(73)と熱伝導係合した熱移動部材(75)に取り付けられて熱移動部材(75)と熱伝導係合し、従って発光ダイオード(77)により発生した熱は、取付基盤(76)、熱移動部材(75)、及び第１結合要素(73)を通してライトバルブホルダ(112)中に伝達される。ライトバルブホルダ(112)は、ライトバルブ(111)の第１結合要素(73)と係合可能なエジソン口金ねじ式ソケット(95)を有する熱伝導材料の本体部材(93)を備える。本体部材(93)から外に向けて延在する複数の熱交換フィン(97)は、ライトバルブ(111)からライトバルブホルダ(112)中に伝導された熱を減衰させる。第１結合要素(73)の端部に配置された同心の接点要素(115、116)は、発光ダイオード(77)に電力を供給するためにソケット(95)内に配置された、対応する同心の第１及び第２接点要素(121、122)と係合可能である。
2016500908.tif 000002
【特許請求の範囲】
【請求項１】
中空内部領域を規定する半透明材料のグローブと、
前記グローブから延在し、ライトバルブホルダにライトバルブを解放可能に結合する第１結合要素であって、前記ライトバルブホルダに熱を移動するように構成された第１結合要素と、
前記ライトバルブホルダ内の対応する導電性接点要素に電気的に接触するように構成された、前記第１結合要素に隣接して配置された少なくとも１つの導電性接点要素と、
前記グローブの前記中空内部領域内に配置された取付手段と、
前記取付手段上の前記グローブの中空内部領域内に配置され、前記少なくとも１つの接点要素に電気的に結合された少なくとも１つのエネルギー効率の良い発光デバイスと、
前記少なくとも１つの発光デバイスから前記第１結合要素に熱を移動して、前記第１結合要素が係合される前記ライトバルブホルダによる熱の放散のために、前記取付手段および前記第１結合要素に結合された熱移動手段と、
を備えるライトバルブ。
【請求項２】
前記第１結合要素が、長手方向に延在する中心軸を規定する請求項１に記載のライトバルブ。
【請求項３】
第１結合要素が、熱伝導係合により、前記ライトバルブホルダに係合するように構成された請求項１または２に記載のライトバルブ。
【請求項４】
前記第１結合要素が、プラグ要素を備える請求項１から３のいずれか一項に記載のライトバルブ。
【請求項５】
前記第１結合要素が、前記ライトバルブホルダの相補ねじ切り部分と係合するように構成されたねじ切り部分を備える請求項１から４のいずれか一項に記載のライトバルブ。
【請求項６】
前記第１結合要素のねじ切り部分が、その雄ねじ切りされた部分を備える請求項５に記載のライトバルブ。
【請求項７】
プラグ要素が、雄ねじ切りされている請求項５または６に記載のライトバルブ。
【請求項８】
前記第１結合要素のねじ切り部分が、細目ねじ、並目ねじ、およびエジソン口金ねじのうちの１つを備える請求項５から７のいずれか一項に記載のライトバルブ。
【請求項９】
前記第１結合要素が、差し込み口金プラグ要素を備える請求項１から４のいずれか一項に記載のライトバルブ。
【請求項１０】
前記熱移動手段が、前記取付手段と前記第１結合要素との間で延在する請求項１から９のいずれか一項に記載のライトバルブ。
【請求項１１】
前記熱移動手段が、前記第１結合要素内に配置された請求項１から１０のいずれか一項に記載のライトバルブ。
【請求項１２】
前記熱移動手段が、前記第１結合要素と熱伝導係合している請求項１から１１のいずれか一項に記載のライトバルブ。
【請求項１３】
前記熱移動手段が、前記取付手段と熱伝導係合している請求項１から１２のいずれか一項に記載のライトバルブ。
【請求項１４】
前記熱移動手段が、熱伝導により、前記少なくとも１つ発光デバイスから前記第１結合要素に熱を移動するように構成された請求項１から１３のいずれか一項に記載のライトバルブ。
【請求項１５】
前記熱移動手段が、熱伝導材料を含む請求項１から１４のいずれか一項に記載のライトバルブ。
【請求項１６】
前記熱移動手段が、前記第１結合要素と熱伝導係合している熱移動部材を備える請求項１から１５のいずれか一項に記載のライトバルブ。
【請求項１７】
前記少なくとも１つの発光デバイスが、前記少なくとも１つの発光デバイスから前記取付手段に熱を移動するように前記取付手段に構成された請求項１から１６のいずれか一項に記載のライトバルブ。
【請求項１８】
前記少なくとも１つの発光デバイスが、熱伝導により、前記少なくとも１つの発光デバイスから前記取付手段に熱を移動するように前記取付手段に構成された請求項１から１７のいずれか一項に記載のライトバルブ。
【請求項１９】
前記取付手段が、前記熱移動手段に取り付けられた請求項１から１８のいずれか一項に記載のライトバルブ。
【請求項２０】
前記取付手段が、前記熱移動手段の遠位端に取り付けられた請求項１から１９のいずれか一項に記載のライトバルブ。
【請求項２１】
前記取付手段が、前記第１結合要素に向けて前記グローブ内に配置された請求項１から２０のいずれか一項に記載のライトバルブ。
【請求項２２】
前記取付手段が、前記第１結合要素に隣接して前記グローブ内に配置された請求項２１に記載のライトバルブ。
【請求項２３】
前記少なくとも１つの発光デバイスから、前記第１結合要素から離隔された前記グローブ内の位置に光を伝達するために、前記取付手段から前記グローブの中空内部領域中に延在するレンズが設けられた請求項２１または２２に記載のライトバルブ。
【請求項２４】
前記レンズが、前記取付手段から前記グローブの中空内部領域内の実質的に中心にある位置へ延在する請求項２３に記載のライトバルブ。
【請求項２５】
前記熱移動手段が、前記第１結合要素から前記グローブの中空内部領域中に延在する細長いピラーを備え、かつ前記取付手段が、前記ピラーに取り付けられている請求項１から２４のいずれか一項に記載のライトバルブ。
【請求項２６】
前記ピラーが、前記グローブの中空内部領域の実質的に中心の位置に隣接した遠位端で終わる請求項２５に記載のライトバルブ。
【請求項２７】
前記取付手段が、その前記遠位端に隣接した前記ピラーに取り付けられた請求項２６に記載のライトバルブ。
【請求項２８】
前記熱移動手段が、前記第１結合要素を備える請求項１から２７のいずれか一項に記載のライトバルブ。
【請求項２９】
前記少なくとも１つの接点要素が、中心軸と同心の第１結合要素内に配置されている請求項１から２８のいずれか一項に記載のライトバルブ。
【請求項３０】
前記対の接点要素が前記第１結合要素に隣接して配置され、前記接点要素が、互いに離隔されているとともに、前記ライトバルブホルダ内のそれぞれの対応する接点要素に電気的に接触するように構成されている請求項１から２９のいずれか一項に記載のライトバルブ。
【請求項３１】
前記対の接点要素の第１接点要素が、中心軸と同心であり、かつ前記対の接点要素の第２接点要素が、前記第１接点要素の周りに延在している請求項３０に記載のライトバルブ。
【請求項３２】
前記第２接点要素が、前記第１接点要素と同心である請求項３１に記載のライトバルブ。
【請求項３３】
前記第１接点要素および第２接点要素が、互いに電気的に絶縁されている請求項３１または３２に記載のライトバルブ。
【請求項３４】
各接点要素が、前記第１結合要素から電気的に絶縁されている請求項１から３３のいずれか一項に記載のライトバルブ。
【請求項３５】
各接点要素が、前記熱移動手段から電気的に絶縁されている請求項１から３４のいずれか一項に記載のライトバルブ。
【請求項３６】
前記熱移動手段が、各接点要素からの導電体を収容するために貫通して延在するボアを規定する請求項１から３５のいずれか一項に記載のライトバルブ。
【請求項３７】
各導電体が、前記少なくとも１つの発光デバイスに電力を供給するために、前記熱移動手段を通して、前記対応する接点要素から延在する請求項３６に記載のライトバルブ。
【請求項３８】
前記熱移動手段、前記取付手段、および前記第１結合要素が、導電性材料を含み、かつ前記少なくとも１つの発光デバイスに対して電気接地を形成するために電気的に結合されている請求項１から３７のいずれか一項に記載のライトバルブ。
【請求項３９】
前記取付手段が、中心軸に沿って見たとき、平面図における外周輪郭を規定し、かつ前記取付手段の平面図における外周輪郭が、中心軸に沿って見たとき、前記第１結合要素の平面図における外周輪郭を越えない請求項１から３８のいずれか一項に記載のライトバルブ。
【請求項４０】
前記取付手段が、前記少なくとも１つの発光デバイスが配置された基盤を備える請求項１から３９のいずれか一項に記載のライトバルブ。
【請求項４１】
前記取付手段が、前記少なくとも１つの発光デバイスが配置される、部分的に実質的に球面を規定する請求項１から４０のいずれか一項に記載のライトバルブ。
【請求項４２】
中心軸の周りに延在する３６０°の角度にわたって前記グローブから光が放射されるように、前記取付手段および前記少なくとも１つの発光デバイスが、前記グローブの中空内部領域内に配置された請求項１から４１のいずれか一項に記載のライトバルブ。
【請求項４３】
中心軸の周りに副軸を回転させたとき、前記取付手段に隣接した主中心軸に対して横断方向に延在する副軸の周りの２７０°〜３５５°の範囲の角度にわたって前記グローブから光が放射されるように、前記取付手段および前記少なくとも１つの発光デバイスが、前記グローブの中空内部領域内に配置された請求項１から４２のいずれか一項に記載のライトバルブ。
【請求項４４】
前記副軸の周りの３００°〜３５０°の範囲の角度にわたって前記グローブから光が放射されるように、前記取付手段および前記少なくとも１つの発光デバイスが、前記グローブの中空内部領域内に配置された請求項４３に記載のライトバルブ。
【請求項４５】
前記副軸の周りの約３４０°の角度にわたって前記グローブから光が放射されるように、前記取付手段および前記少なくとも１つの発光デバイスが、前記グローブの中空内部領域内に配置された請求項４３または４４に記載のライトバルブ。
【請求項４６】
複数の発光デバイスが、前記取付手段に取り付けられた請求項１から４５のいずれか一項に記載のライトバルブ。
【請求項４７】
各発光デバイスが、表面実装の発光デバイスを備える請求項１から４６のいずれか一項に記載のライトバルブ。
【請求項４８】
各発光デバイスが、発光ダイオードを備える請求項１から４７のいずれか一項に記載のライトバルブ。
【請求項４９】
各発光デバイスが、チップオンボードデバイスを備える請求項１から４８のいずれか一項に記載のライトバルブ。
【請求項５０】
ライトバルブホルダにライトバルブを結合するために前記ライトバルブの相補結合要素と解放可能に結合可能な結合要素であって、前記ライトバルブホルダの結合要素を通して前記ライトバルブから前記ライトバルブホルダに熱を移動するためにライトバルブ結合要素に係合するように構成された結合要素と、
前記ライトバルブから移動された熱を減衰および放散させるために、前記ライトバルブホルダの結合要素と熱伝導係合しているヒートシンクと、
前記ライトバルブホルダの結合要素に隣接した少なくとも１つの導電性接点要素であって、前記ライトバルブの対応する導電性接点要素に電気的に接触するように構成された少なくとも１つの接点要素と、
を備えるライトバルブホルダ。
【請求項５１】
前記ライトバルブホルダの結合要素が、長手方向に延在する中心軸を規定する請求項５０に記載のライトバルブホルダ。
【請求項５２】
前記ヒートシンクが、熱交換器を備え、前記熱交換器が、細長い本体部材と、前記本体部材から外に向けて延在する複数の熱交換フィンと、を備える請求項５０または５１に記載のライトバルブホルダ。
【請求項５３】
前記熱交換フィンが、前記本体部材に沿って概して長手方向に延在し、前記本体部材の周りで円周方向に離隔されている請求項５２に記載のライトバルブホルダ。
【請求項５４】
前記熱交換フィンが、中心軸に実質的に平行に延在する請求項５２または５３に記載のライトバルブホルダ。
【請求項５５】
前記熱交換フィンが、前記本体部材の周りで円周方向に等間隔で離隔された請求項５２から５４のいずれか一項に記載のライトバルブホルダ。
【請求項５６】
前記熱交換フィンが、前記ライトバルブホルダによって規定される中心軸に沿って平面で見たとき、弓形形状である請求項５２から５５のいずれか一項に記載のライトバルブホルダ。
【請求項５７】
前記本体部材および前記熱交換フィンが、熱伝導材料を含む請求項５２から５６のいずれか一項に記載のライトバルブホルダ。
【請求項５８】
前記本体部材が、大きな熱質量を有する請求項５２から５７のいずれか一項に記載のライトバルブホルダ。
【請求項５９】
前記ライトバルブホルダの結合要素が、ライトバルブ結合要素に係合するように構成されたソケット要素を備える請求項５０から５８のいずれか一項に記載のライトバルブホルダ。
【請求項６０】
前記ライトバルブホルダの結合要素が、ねじ切り部分を備える請求項５０から５９のいずれか一項に記載のライトバルブホルダ。
【請求項６１】
前記ライトバルブホルダの結合要素により規定されるソケットが、雌ねじ切りされたソケットを備える請求項５９または６０に記載のライトバルブホルダ。
【請求項６２】
前記結合要素の雌ねじ切りされたソケットが、細目ねじ、並目ねじ、およびエジソン口金ねじのうちの１つを備える請求項６１に記載のライトバルブホルダ。
【請求項６３】
前記ライトバルブホルダの結合要素が、差し込みソケットを備える請求項５０から５２のいずれか一項に記載のライトバルブホルダ。
【請求項６４】
前記ライトバルブホルダの結合要素が、本体部材内に形成され、かつ前記本体部材と同心である請求項５０から６３のいずれか一項に記載のライトバルブホルダ。
【請求項６５】
前記少なくとも１つの接点要素が、前記ライトバルブホルダの結合要素内に配置された請求項５０から６４のいずれか一項に記載のライトバルブホルダ。
【請求項６６】
前記少なくとも１つの接点要素が、中心軸と同心に配置された請求項５０から６５のいずれか一項に記載のライトバルブホルダ。
【請求項６７】
前記少なくとも１つの接点要素が、前記ライトバルブホルダの結合要素により規定されるソケット内に配置された請求項５０から６６のいずれか一項に記載のライトバルブホルダ。
【請求項６８】
前記対の導電性接点要素が、前記ライトバルブホルダの結合要素に隣接して配置され、前記対の導電性接点要素の一方が第１接点要素を構成し、かつ前記対の導電性接点要素の他方が第２接点要素を構成し、前記ライトバルブホルダの第１接点要素および第２接点要素が、前記ライトバルブの第１接点要素および第２接点要素のうちの、対応する接点要素に係合するように構成された請求項５０から６７のいずれか一項に記載のライトバルブホルダ。
【請求項６９】
前記ライトバルブホルダの第１接点要素が、前記ライトバルブホルダの結合要素と同心に配置された請求項６８に記載のライトバルブホルダ。
【請求項７０】
前記ライトバルブホルダの第２接点要素が、前記ライトバルブホルダの第１接点要素の周りに延在する請求項６８または６９に記載のライトバルブホルダ。
【請求項７１】
前記第２接点要素が、前記ライトバルブホルダの第１接点要素と同心に配置された請求項６８から７０のいずれか一項に記載のライトバルブホルダ。
【請求項７２】
第１接点要素が、前記ライトバルブホルダの中心軸と同心に配置された請求項５０から７１のいずれか一項に記載のライトバルブホルダ。
【請求項７３】
前記ライトバルブホルダの結合要素内に配置された各接点要素から延在する導電体を収容するために、ボアが、本体部材を通して延在する請求項５０から７２のいずれか一項に記載のライトバルブホルダ。
【請求項７４】
本体部材が、前記ライトバルブホルダの電気接地を形成するための導電性材料を含む請求項５０から７３のいずれか一項に記載のライトバルブホルダ。
【請求項７５】
前記ライトバルブホルダに結合されたライトバルブの少なくとも１つの発光デバイスを駆動するドライバが、前記ライトバルブホルダ内に配置された請求項５０から７４のいずれか一項に記載のライトバルブホルダ。
【請求項７６】
前記ライトバルブホルダに結合されたライトバルブの少なくとも１つの発光デバイスへの電力供給を制御する電子制御回路が、前記ライトバルブホルダ内に配置された請求項５０から７５のいずれか一項に記載のライトバルブホルダ。
【請求項７７】
強制対流を生じさせて前記ヒートシンクから熱を放散させるために、前記ライトバルブホルダ内にファンが配置された請求項５０から７６のいずれか一項に記載のライトバルブホルダ。
【請求項７８】
熱を前記ライトバルブから前記ライトバルブホルダに伝導して前記ライトバルブホルダのヒートシンクにより放散させるために、前記ライトバルブが、熱伝導係合により前記ライトバルブホルダの結合要素内で係合された前記ライトバルブの第１結合要素と前記ライトバルブホルダ内で係合された、請求項１から４９のいずれか一項に記載のライトバルブと請求項５０から７７のいずれか一項に記載のライトバルブホルダとの組合体。
【請求項７９】
ライトバルブとライトバルブホルダとの組合体であって、
前記ライトバルブが、
中空内部領域を規定する半透明材料のグローブと、
前記ライトバルブホルダに前記ライトバルブを解放可能に結合するグローブから延在する第１結合要素であって、前記ライトバルブホルダに熱を移動するように構成された第１結合要素と、
前記第１結合要素に隣接して配置された少なくとも１つの導電性接点要素と、
前記グローブの中空内部領域内に配置された取付手段と、
前記取付手段上のグローブの中空内部領域内に配置され、かつ前記少なくとも１つの接点要素と電気的に結合された少なくとも１つのエネルギー効率の良い発光デバイスと、
前記少なくとも１つの発光デバイスから前記第１結合要素に熱を移動するために、前記取付手段および前記第１結合要素に結合された熱移動手段と、
を備え、
前記ライトバルブホルダが、
前記ライトバルブホルダに前記ライトバルブを結合するとともに、前記ライトバルブから前記ライトバルブホルダに熱を移動するために、前記ライトバルブの第１結合要素と解放可能に伝熱係合している第２結合要素と、
前記ライトバルブから伝えられた熱を減衰および放散させるために前記第２結合要素と熱伝導係合しているヒートシンクと、
前記ライトバルブの少なくとも１つの発光デバイスに電力を供給するため、前記ライトバルブの接点要素と導電性接触している第２結合要素に隣接した、少なくとも１つの導電性接点要素と、
を備える組合体。
【請求項８０】
前記第１結合要素が、前記ライトバルブの長手方向に延在する中心軸を規定する請求項７９に記載の組合体。
【請求項８１】
前記第２結合要素が、前記ライトバルブホルダの長手方向に延在する中心軸を規定する請求項７９または８０に記載の組合体。
【請求項８２】
前記ライトバルブが前記ライトバルブホルダ内で係合されたとき、前記ライトバルブおよび前記ライトバルブホルダの中心軸が一致するように、前記ライトバルブおよび前記ライトバルブホルダが構成された請求項８０または８１に記載の組合体。
【請求項８３】
前記第１結合要素および第２結合要素が、熱伝導係合により互いに係合するように構成された請求項７９から８２のいずれか一項に記載の組合体。
【請求項８４】
前記ライトバルブの第１結合要素が、プラグ要素を備える請求項７９から８３のいずれか一項に記載の組合体。
【請求項８５】
前記ライトバルブホルダの第２結合要素が、前記ライトバルブの対応する第１結合要素を受けるソケットを規定する請求項７９から８４のいずれか一項に記載の組合体。
【請求項８６】
前記第１結合要素が、ねじ切り部分を備え、かつ前記第２結合要素が、相補ねじ切り部分を備える請求項７９から８５のいずれか一項に記載の組合体。
【請求項８７】
前記第１結合要素のねじ切り部分が、その雄ねじ切りされた部分を備え、かつ前記第２結合要素のねじ切り部分が、雌ねじ切りされた部分を備える請求項８６に記載の組合体。
【請求項８８】
前記ライトバルブのプラグ要素が、雄ねじ切りされている請求項８４から８７のいずれか一項に記載の組合体。
【請求項８９】
前記ライトバルブホルダの第２結合要素により規定されるソケットが、雌ねじ切りされている請求項８５から８８のいずれか一項に記載の組合体。
【請求項９０】
前記第１結合要素および第２結合要素のねじ切り部分が、細目ねじ、並目ねじ、およびエジソン口金ねじのうちの１つを備える請求項８６から８９のいずれか一項に記載の組合体。
【請求項９１】
前記第１結合要素が、差し込み口金プラグ要素を備え、かつ前記第２結合要素が、差し込みソケット要素を備える請求項７９から８５のいずれか一項に記載の組合体。
【請求項９２】
前記熱移動手段が、前記取付手段と前記第１結合要素との間で延在する請求項７９から９１のいずれか一項に記載の組合体。
【請求項９３】
前記熱移動手段が、前記第１結合要素内に配置された請求項７９から９２のいずれか一項に記載の組合体。
【請求項９４】
前記熱移動手段が、前記第１結合要素と熱伝導係合している請求項７９から９３のいずれか一項に記載の組合体。
【請求項９５】
前記熱移動手段が、前記取付手段と熱伝導係合している請求項７９から９４のいずれか一項に記載の組合体。
【請求項９６】
前記熱移動手段が、熱伝導により前記少なくとも１つの発光デバイスから前記第１結合要素に熱を伝達するように構成された請求項７９から９５のいずれか一項に記載の組合体。
【請求項９７】
前記熱移動手段が、熱伝導材料を備える請求項７９から９６のいずれか一項に記載の組合体。
【請求項９８】
前記熱移動手段が、前記第１結合要素と熱伝導係合している熱移動部材を備える請求項７９から９７のいずれか一項に記載の組合体。
【請求項９９】
前記少なくとも１つの発光デバイスが、前記少なくとも１つの発光デバイスから前記取付手段に熱を伝達するように前記取付手段に構成された請求項７９から９８のいずれか一項に記載の組合体。
【請求項１００】
前記少なくとも１つの発光デバイスが、熱伝導により前記少なくとも１つの発光デバイスから前記取付手段に熱を伝達するように前記取付手段に構成された請求項７９から９９のいずれか一項に記載の組合体。
【請求項１０１】
前記取付手段が、前記熱移動手段に取り付けられた請求項７９から１００のいずれか一項に記載の組合体。
【請求項１０２】
前記取付手段が、前記熱移動手段の遠位端に取り付けられた請求項７９から１０１のいずれか一項に記載の組合体。
【請求項１０３】
前記取付手段が、前記第１結合要素に向けて前記グローブ内に配置された請求項７９から１０２のいずれか一項に記載の組合体。
【請求項１０４】
前記取付手段が、前記第１結合要素に隣接して前記グローブ内に配置された請求項７９から１０３のいずれか一項に記載の組合体。
【請求項１０５】
前記少なくとも１つの発光デバイスから前記第１結合要素から離隔された前記グローブ内の位置に光を伝達するために、前記取付手段から前記グローブの中空内部領域中に延在するレンズが、設けられた請求項７９から１０４のいずれか一項に記載の組合体。
【請求項１０６】
前記レンズが、前記ライトバルブの中心軸に沿って前記取付手段から前記グローブの前記中空内部領域内の実質的に中心にある位置まで延在する請求項１０５に記載の組合体。
【請求項１０７】
前記熱移動手段が、前記第１結合要素から前記グローブの中空内部領域中に延在する細長いピラーを備え、かつ前記取付手段が前記ピラーに取り付けられている請求項７９から１０６のいずれか一項に記載の組合体。
【請求項１０８】
前記ピラーが、前記ライトバルブの中心軸上で前記グローブの中空内部領域の実質的に中心位置に隣接した遠位端で終わる請求項１０７に記載の組合体。
【請求項１０９】
前記取付手段が、その遠位端に隣接した前記ピラーに取り付けられる請求項１０７または１０８に記載の組合体。
【請求項１１０】
前記熱移動手段が、前記第１結合要素を備える請求項７９から１０９のいずれか一項に記載の組合体。
【請求項１１１】
前記ライトバルブの少なくとも１つの接点要素が、前記第１結合要素と同心に配置され、かつ前記ライトバルブホルダの少なくとも１つの接点要素が、前記第２結合要素と同心に配置された請求項７９から１１０のいずれか一項に記載の組合体。
【請求項１１２】
前記ライトバルブホルダの少なくとも１つの接点要素が、前記ライトバルブホルダの結合要素により規定されるソケット内に配置された請求項７９から１１１のいずれか一項に記載の組合体。
【請求項１１３】
前記対のライトバルブの接点要素が、前記第１結合要素に隣接して配置され、互いに離隔され、
前記対のライトバルブホルダの接点要素が、前記第２結合要素に隣接して配置され、互いに離隔され、かつ前記ライトバルブの接点要素のうちの対応する接点要素に電気的に接触する請求項７９から１１２のいずれか一項に記載の組合体。
【請求項１１４】
前記対のライトバルブの接点要素のうちの第１接点要素が、中心に配置された接点要素を構成し、かつ前記対のライトバルブの接点要素のうちの第２接点要素が、前記第１接点要素の周りに延在する請求項１１３に記載の組合体。
【請求項１１５】
前記ライトバルブの第２接点要素が、前記ライトバルブの中心軸と同心である請求項１１４に記載の組合体。
【請求項１１６】
前記ライトバルブの第１接点要素が、前記ライトバルブの中心軸と同心である請求項１１４または１１５に記載の組合体。
【請求項１１７】
前記ライトバルブの第１接点要素および第２接点要素が、互いに電気的に絶縁された請求項１１４から１１６のいずれか一項に記載の組合体。
【請求項１１８】
前記ライトバルブの各接点要素が、前記第１結合要素から電気的に絶縁された請求項７９から１１７のいずれか一項に記載の組合体。
【請求項１１９】
前記ライトバルブの各接点要素が、前記熱移動手段から電気的に絶縁された請求項７９から１１８のいずれか一項に記載の組合体。
【請求項１２０】
前記ライトバルブホルダが、本体部材を備え、かつ雌ねじ切りされたソケットおよび差し込みソケット要素のうちの一方が、前記本体部材中に延在する請求項７９から１１９のいずれか一項に記載の組合体。
【請求項１２１】
前記ライトバルブホルダの対の接点要素のうちの一方の接点要素が、第１接点要素を構成し、かつ前記ライトバルブホルダの対の接点要素のうちの他方の接点要素が、第２接点要素を構成し、前記ライトバルブホルダの第１接点要素および第２接点要素がそれぞれ、前記ライトバルブの第１接点要素および第２接点要素に電気的に接触する請求項１１３から１２０のいずれか一項に記載の組合体。
【請求項１２２】
前記ライトバルブホルダの第１接点要素が、前記ライトバルブホルダの第２結合要素に対して中心に配置された請求項１２１に記載の組合体。
【請求項１２３】
前記ライトバルブホルダの第２接点要素が、前記ライトバルブホルダの第１接点要素の周りに延在する請求項１２１または１２２に記載の組合体。
【請求項１２４】
前記ライトバルブホルダの第２接点要素が、前記ライトバルブホルダの第１接点要素と同心に配置された請求項１２１から１２３のいずれか一項に記載の組合体。
【請求項１２５】
前記ライトバルブホルダの第１接点要素が、前記ライトバルブホルダの中心軸と同心に配置された請求項１２１から１２４のいずれか一項に記載の組合体。
【請求項１２６】
前記ライトバルブホルダの第１接点要素および第２接点要素が、互いに電気的に絶縁されている請求項１２１から１２５のいずれか一項に記載の組合体。
【請求項１２７】
前記ライトバルブホルダの各接点要素が、前記第２結合要素から電気的に絶縁されている請求項１２１から１２６のいずれか一項に記載の組合体。
【請求項１２８】
前記ライトバルブホルダの各接点要素が、前記ライトバルブホルダの本体部材から電気的に絶縁されている請求項１２１から１２７のいずれか一項に記載の組合体。
【請求項１２９】
前記ライトバルブの各接点要素からの導電体を収容するために、前記熱移動手段が、貫通して延在するボアを規定する請求項７９から１２８のいずれか一項に記載の組合体。
【請求項１３０】
前記少なくとも１つの発光デバイスに電力を供給するために、各導電体が、前記ライトバルブの対応する接点要素から、前記熱移動手段を通して延在するボアを通して、延在する請求項１２９に記載の組合体。
【請求項１３１】
ボアが、対応する接点要素に電力を供給する前記ライトバルブホルダの各接点要素から延在する導電体を収容する前記ライトバルブホルダの本体部材を通って延在する請求項７９から１３０のいずれか一項に記載の組合体。
【請求項１３２】
前記ライトバルブホルダの少なくとも１つの接点要素が、前記ライトバルブホルダの第２結合要素内に配置された請求項７９から１３１のいずれか一項に記載の組合体。
【請求項１３３】
前記ライトバルブの前記熱移動手段、前記取付手段、および前記第１結合要素が、導電性材料を含み、かつ前記少なくとも１つの発光デバイスの電気接地を形成するように構成された請求項７９から１３２のいずれか一項に記載の組合体。
【請求項１３４】
本体部材が、前記ライトバルブホルダの電気接地を形成するために導電性材料を含む請求項７９から１３３のいずれか一項に記載の組合体。
【請求項１３５】
前記取付手段が、前記ライトバルブの中心軸に沿って見たとき、平面図における外周輪郭を規定し、かつ前記取付手段の平面図における外周輪郭が、前記ライトバルブの中心軸に沿って見たとき、前記第１結合要素の平面図における外周輪郭を越えない請求項７９から１３４のいずれか一項に記載の組合体。
【請求項１３６】
前記取付手段が、前記少なくとも１つの発光デバイスが配置される基盤を備える請求項７９から１３５のいずれか一項に記載の組合体。
【請求項１３７】
前記取付手段が、前記少なくとも１つの発光デバイスが配置される部分的に実質的に球面を規定する請求項７９から１３６のいずれか一項に記載の組合体。
【請求項１３８】
前記ライトバルブの中心軸の周りに延在する３６０°の角度にわたって前記グローブから光が放射されるように、前記取付手段および前記少なくとも１つの発光デバイスが、前記グローブの中空内部領域内に配置された請求項７９から１３７のいずれか一項に記載の組合体。
【請求項１３９】
副軸が中心軸の周りで回転されるとき、前記取付手段に隣接する中心軸に対して横断方向に延在する前記副軸の周りの２７０°〜３５５°の範囲の角度にわたって前記グローブから光が放射されるように、前記取付手段および前記少なくとも１つの発光デバイスが、前記グローブの中空内部領域内に配置された請求項７９から１３８のいずれか一項に記載の組合体。
【請求項１４０】
前記副軸の周りの３００°〜３５０°の範囲の角度にわたって前記グローブから光が放射されるように、前記取付手段および前記少なくとも１つの発光デバイスが、前記グローブの中空内部領域内に配置された請求項１３９に記載の組合体。
【請求項１４１】
副軸の周りの約３４０°の角度にわたって前記グローブから放射されるように、前記取付手段および前記少なくとも１つの発光デバイスが、前記グローブの中空内部領域内に配置された請求項１３９または１４０に記載の組合体。
【請求項１４２】
複数の発光デバイスが、前記取付手段に取り付けられた請求項７９から１４１のいずれか一項に記載の組合体。
【請求項１４３】
各発光デバイスが、表面実装の発光デバイスを備える請求項７９から１４２のいずれか一項に記載の組合体。
【請求項１４４】
各発光デバイスが、発光ダイオードを備える請求項７９から１４３のいずれか一項に記載の組合体。
【請求項１４５】
各発光デバイスが、チップオンボードデバイスを備える請求項７９から１４４のいずれか一項に記載の組合体。
【請求項１４６】
前記ライトバルブホルダのヒートシンクが、本体部材と、前記本体部材から外に向けて延在する複数の熱交換フィンと、を含む熱交換器を備える請求項７９から１４５のいずれか一項に記載の組合体。
【請求項１４７】
前記ライトバルブホルダの本体部材が、細長い本体部材を備える請求項１４６に記載の組合体。
【請求項１４８】
前記熱交換フィンが、前記本体部材に沿って概して長手方向に延在し、前記本体部材の周りで円周方向に離隔されている請求項１４６または１４７に記載の組合体。
【請求項１４９】
前記熱交換フィンが、前記ライトバルブホルダの中心軸に実質的に平行に延在する請求項１４６から１４８のいずれか一項に記載の組合体。
【請求項１５０】
前記熱交換フィンが、前記本体部材の周りで円周方向に等間隔で離隔された請求項１４６から１４９のいずれか一項に記載の組合体。
【請求項１５１】
前記熱交換フィンが、前記ライトバルブホルダの中心軸に沿った平面で見たとき、弓形形状である請求項１４６から１５０のいずれか一項に記載の組合体。
【請求項１５２】
前記本体部材および前記熱交換フィンが、熱伝導材料を含む請求項１４６から１５１のいずれか一項に記載の組合体。
【請求項１５３】
前記本体部材が、大きな熱質量を有する請求項１４６から１５２のいずれか一項に記載の組合体。
【請求項１５４】
前記ライトバルブホルダの第２結合要素が、前記本体部材内に形成され、かつ前記本体部材と同心である請求項１４６から１５３のいずれか一項に記載の組合体。
【請求項１５５】
ライトバルブの少なくとも１つの発光デバイスを駆動するドライバが、前記ライトバルブホルダ内に配置された請求項７９から１５４のいずれか一項に記載の組合体。
【請求項１５６】
電子制御回路が、前記少なくとも１つの発光デバイスへの電力供給を制御するために設けられた請求項７９から１５５のいずれか一項に記載の組合体。
【請求項１５７】
強制対流を生じさせて前記ヒートシンクから熱を放散させるために、ファンが前記ライトバルブホルダ内に配置された請求項７９から１５６のいずれか一項に記載の組合体。
【発明の詳細な説明】
【技術分野】
【０００１】
本発明はライトバルブ、詳しくは、発光ダイオードなどの、１つまたは２つ以上のエネルギー効率の良い発光デバイスを備えるタイプのライトバルブに関し、ライトバルブホルダ、及びライトバルブとライトバルブホルダとの組合体にも関する。
【背景技術】
【０００２】
発光ダイオードを備えるライトバルブが知られている。しかし、このようなライトバルブは２つの問題を抱えている。第一に、発光ダイオードおよび他のエネルギー効率の良い発光デバイスは、著しい量の熱を発生する傾向があり、熱は、発光デバイスから即座に追い出さなければ、結果として発光デバイスが過熱し、続いて発光デバイスの劣化および焼損となる。
【０００３】
既知のライトバルブ中の発光デバイスから十分に即座に熱を除去するためには、相対的に大きなヒートシンクをライトバルブ中に設けることが必要である。ヒートシンクは、ライトバルブの半透明グローブと、ライトバルブをライトバルブホルダに結合するライトバルブ結合要素との間に配置される。ヒートシンクが発光デバイスによって発生した熱を放散することができるようにするため、概して、ヒートシンクは、熱伝導材料の中心を長手方向に延在する本体部材と、本体部材の周りに等間隔で離隔され、そこから放射状に外に向けて延在する、本体部材に沿って長手方向に延在する複数の熱交換フィンと、を備える。本体部材および熱交換フィンは、典型的には、アルミニウム製またはアルミニウム合金製である。熱が発光デバイスによって発生しつつ、ある速度で熱交換フィンから放散されるようにするために、熱交換フィンを横断するヒートシンクの横径は、相対的に大きく、概して、半透明グローブがヒートシンクに配置された半球体ほどでしかないこともあるような直径にする必要がある。概して、熱交換フィンを横断するヒートシンクの横径は、ライトバルブ結合要素に向けて減少するので、結合要素における熱交換フィンを横断するヒートシンクの横径は、実質的に結合要素の直径と同様である。
【０００４】
このようなヒートシンクを半透明グローブとライトバルブ結合要素との間に配置する要求は、結果として２つの問題につながる。第一に、各ライトバルブは、ヒートシンクを内蔵しなければならないので、大量の金属を備え、それにより、ライトバルブの費用を増大させ、また、ライトバルブとともに処分しなければならず、著しい金属の損失をもたらし、または少なくともリサイクル要件となる。第二に、ヒートシンクをライトバルブ結合要素とライトバルブの半透明グローブとの間に配置する要求は、結果として、光が半透明グローブから放射される方向において相当に制限される。
【０００５】
ライトバルブからの光はライトバルブの長手方向に延在する中心軸周りの３６０°の角度にわたって半透明グローブから外に向けて放射されるが、光は、ライトバルブの長手方向の中心軸の横断方向に延在する軸周りの約１８０°の角度にわたって半透明グローブから放射されるだけであり、ヒートシンクとの半球体の接合部によって規定される平面に含まれる。この後者の問題により、このようなライトバルブのグローブからの光がグローブから上方および外に向けて放射され、半球体とヒートシンクとの接合部によって規定される平面より下のライトバルブから下方には光がほとんど放射されないので、このようなライトバルブはフロアスタンド、電気スタンド、壁灯などの用途には不満足なものとなる。
【０００６】
これらが発光デバイス、特に発光ダイオードを備えるこのようなライトバルブの２つの深刻な問題である。
【発明の概要】
【発明が解決しようとする課題】
【０００７】
したがって、これらの問題に対処するライトバルブが必要とされ、これらの問題にやはり対処する、ライトバルブホルダ、並びにライトバルブ及びライトバルブホルダの組合体も必要とされる。
【課題を解決するための手段】
【０００８】
本発明は、このようなライトバルブ、ライトバルブホルダ、及びライトバルブとライトバルブホルダとの組合体を提供することを対象とするものである。
【０００９】
本発明によれば、中空内部領域を規定する半透明材料グローブと、ライトバルブをライトバルブホルダに解放可能に結合するグローブから延在する第１結合要素であって、熱をライトバルブホルダに伝達するように構成される第１結合要素と、ライトバルブホルダ内の対応する導電性接点要素に電気的に接触するように構成された、第１結合要素に隣接して配置された少なくとも１つの導電性接点要素と、グローブの中空内部領域内に配置された取付手段と、取付手段上のグローブの中空内部領域内に配置され、少なくとも１つの接点要素に電気的に結合された少なくとも１つのエネルギー効率の良い発光デバイスと、熱を少なくとも１つの発光デバイスから第１結合要素に移動（transferring）して、第１結合要素が係合するライトバルブホルダにより熱を放散させるために、取付手段および第１結合要素に結合された熱移動手段（heat transfer means）と、を備えるライトバルブが提供される。
【００１０】
本発明の一態様において、第１結合要素は、長手方向に延在する中心軸を規定する。
【００１１】
本発明の別の態様において、第１結合要素は、熱伝導係合（heat conducting engagement）によりライトバルブホルダに係合するように構成される。
【００１２】
本発明の他の態様において、第１結合要素は、プラグ要素を備える。好ましくは、第１結合要素は、ライトバルブホルダの相補ねじ切り部分に係合するように適合されたねじ切り部分を備える。有利には、第１結合要素のねじ切り部分は、その雄ねじ切りされた部分を備える。理想的には、プラグ要素は雄ねじ切りされる。
【００１３】
本発明の一態様において、第１結合要素のねじ切り部分は、細目ねじ、並目ねじ、およびエジソン口金ねじ（Edison screw thread）のうちの１つを備える。
【００１４】
あるいは、第１結合要素は、差し込み口金プラグ要素を備える。
【００１５】
本発明の別の態様において、熱移動手段は、取付手段から第１結合要素まで延在する。好ましくは、熱移動手段は、第１結合要素内に配置される。有利には、熱移動手段は、第１結合要素と熱伝導係合している。理想的には、熱移動手段は、取付手段と熱伝導係合している。
【００１６】
好ましくは、熱移動手段は、熱伝導により、少なくとも１つの発光デバイスから第１結合要素に熱を移動するように構成される。有利には、熱移動手段は、熱伝導材料を備える。有利には、熱移動手段は、第１結合要素と熱伝導係合している熱移動部材を備える。
【００１７】
本発明の別の態様において、少なくとも１つの発光デバイスは、少なくとも１つの発光デバイスから取付手段に熱を移動するように取付手段に構成される。好ましくは、少なくとも１つの発光デバイスは、熱伝導により、少なくとも１つの発光デバイスから取付手段に熱を移動するように取付手段に構成される。有利には、取付手段は熱移動手段に取り付けられる。好ましくは、取付手段は熱移動手段の遠位端に取り付けられる。
【００１８】
本発明の別の態様において、取付手段は、第１結合要素に向けてグローブ内に配置される。好ましくは、取付手段は、第１結合手段に隣接してグローブ内に配置される。
【００１９】
本発明の一態様において、少なくとも１つの発光デバイスから、第１結合要素から離隔されたグローブ内の位置に光を導くために、取付手段からグローブの中空内部領域中に延在するレンズが提供される。好ましくは、レンズは、取付手段からグローブの中空内部領域内の実質的に中心位置に延在する。
【００２０】
本発明の他の態様において、熱移動手段は、第１結合要素からグローブの中空内部領域中に延在する細長いピラーを備え、取付手段は、ピラーに取り付けられる。好ましくは、ピラーは、グローブの中空内部領域の実質的に中心位置に隣接した遠位端で終わる。有利には、取付手段は、その遠位端に隣接したピラーに取り付けられる。
【００２１】
本発明の別の態様において、熱移動手段は、第１結合要素を備える。
【００２２】
本発明の別の態様において、少なくとも１つの接点要素は、中心軸と同心の第１結合要素内に配置される。好ましくは、対の接点要素が第１結合要素に隣接して配置され、接点要素が、互いに離隔され、ライトバルブホルダ内のそれぞれの対応する接点要素に電気的に接触するように構成される。有利には、対の接点要素のうちの第１接点要素が、中心軸と同心であり、対の接点要素のうちの第２接点要素が第１接点要素の周りに延在する。好ましくは、第２接点要素は、第１接点要素と同心である。有利には、第１接点要素および第２接点要素は、互いに電気的に絶縁される。好ましくは、各接点要素は、第１結合要素から電気的に絶縁される。有利には、各接点要素は、熱移動手段から電気的に絶縁される。
【００２３】
本発明の別の態様において、熱移動手段は、各接点要素から導電体を収容するために、それを通して延在するボアを規定する。好ましくは、各導電体は、少なくとも１つの発光デバイスに電力を供給するために対応する接点要素から熱移動手段を通って延在する。
【００２４】
本発明の他の態様において、熱移動手段、取付手段、および第１結合要素は、導電性材料を備え、少なくとも１つの発光デバイスの電気接地を形成するために電気的に結合される。
【００２５】
本発明の別の態様において、取付手段は、中心軸に沿って見たとき、平面図における外周輪郭を規定し、取付手段の平面図における外周輪郭は、中心軸に沿って見たとき、第１結合要素の平面図における外周輪郭を越えない。
【００２６】
本発明の他の態様において、取付手段は、その上に少なくとも１つの発光デバイスが配置される基盤を備える。
【００２７】
本発明の別の態様において、取付手段は、その上に少なくとも１つの発光デバイスが配置される部分的に実質的に球面を規定する。
【００２８】
好ましくは、取付手段および少なくとも１つの発光デバイスは、グローブの中空内部領域内に配置され、したがって、光が中心軸周りに延在する３６０°の角度にわたってグローブから放射される。
【００２９】
好ましくは、取付手段および少なくとも１つの発光デバイスは、グローブの中空内部領域内に配置され、したがって、副軸が中心軸周りに回転されるとき、取付手段に隣接した主中心軸に対して横断方向に延在する副軸周りの２７０°から３５５°までの範囲の角度にわたってグローブから光が放射される。好ましくは、取付手段および少なくとも１つの発光デバイスは、グローブの中空内部領域内に配置され、したがって、副軸周りの３００°から３５０°までの範囲の角度にわたってグローブから光が放射される。有利には、取付手段および少なくとも１つの発光デバイスはグローブの中空内部領域内に配置され、したがって、副軸周りの約３４０°の角度にわたってグローブから光が放射される。
【００３０】
本発明の一態様において、複数の発光デバイスを取付手段に取り付ける。好ましくは、各発光デバイスは、表面実装の発光デバイスを備える。有利には、各発光デバイスは、発光ダイオードを備える。
【００３１】
本発明の別の態様において、各発光デバイスは、チップオンボードデバイスを備える。
【００３２】
さらに、本発明は、ライトバルブをライトバルブホルダに結合するためにライトバルブの相補結合要素と解放可能に係合可能な結合要素であって、ライトバルブホルダの結合要素を通してライトバルブからライトバルブホルダに熱を伝達するためにライトバルブ結合要素に係合するように構成されるライトバルブホルダの結合要素と、ライトバルブから伝達された熱を減衰および放散させるためのライトバルブホルダの結合要素と熱伝導係合しているヒートシンクと、ライトバルブホルダの結合要素に隣接した少なくとも１つの導電性接点要素であって、ライトバルブの対応する導電性接点要素に電気的に接触するように構成される少なくとも１つの接点要素と、を備えるライトバルブホルダを提供する。
【００３３】
本発明の一態様において、ライトバルブホルダの結合要素は、長手方向に延在する中心軸を規定する。
【００３４】
本発明の別の態様において、ヒートシンクは、細長い本体部材と、本体部材から外に向けて延在する複数の熱交換フィンと、を備える熱交換器を備える。好ましくは、熱交換フィンは、本体部材に沿って概して長手方向に延在し、本体部材の周りで円周方向に離隔される。有利には、熱交換フィンは中心軸に実質的に平行に延在する。好ましくは、熱交換フィンは、本体部材の周りで円周方向に等間隔で離隔される。理想的には、熱交換フィンは、ライトバルブホルダにより規定される中心軸に沿って平面で見たとき、弓形形状である。好ましくは、本体部材および熱交換フィンは熱伝導材料を備える。
【００３５】
本発明の一態様において、本体部材は、大きな熱質量を有する。
【００３６】
本発明の別の態様において、ライトバルブホルダの結合要素は、ライトバルブ結合要素に係合するように構成されたソケット要素を備える。好ましくは、ライトバルブホルダの結合要素は、ねじ切り部分を備える。有利には、ライトバルブホルダの結合要素によって規定されるソケットは、雌ねじ切りされたソケットを備える。好ましくは、結合要素の雌ねじ切りされたソケットは、細目ねじ、並目ねじ、およびエジソン口金ねじのうちの１つを備える。
【００３７】
あるいは、ライトバルブホルダの結合要素は、差し込みソケットを備える。
【００３８】
本発明の一態様において、ライトバルブホルダの結合要素は、本体部材内に形成され、本体部材と同心である。
【００３９】
本発明の別の態様において、少なくとも１つの接点要素は、ライトバルブホルダの結合要素内に配置される。好ましくは、少なくとも１つの接点要素は、中心軸と同心に配置される。有利には、少なくとも１つの接点要素は、ライトバルブホルダの結合要素によって規定されるソケット内に配置される。
【００４０】
本発明の別の態様において、対の導電性接点要素がライトバルブホルダの結合要素に隣接して配置され、対の接点要素の一方が、第１接点要素を構成し、対の接点要素の他方が、第２接点要素を構成し、ライトバルブホルダの第１接点要素および第２接点要素が、ライトバルブの第１接点要素および第２接点要素のうちの対応する接点要素に係合するように構成される。好ましくは、ライトバルブホルダの第１接点要素は、ライトバルブホルダの結合要素と同心に配置される。有利にはライトバルブホルダの第２接点要素は、ライトバルブホルダの第１接点要素の周りに延在する。好ましくは、第２接点要素は、ライトバルブホルダの第１接点要素と同心に配置される。
【００４１】
本発明の別の態様において、第１接点要素は、ライトバルブホルダの中心軸と同心に配置される。
【００４２】
本発明の他の態様において、ボアは、ライトバルブホルダの結合要素内に配置された各接点要素から延在する導電体を収容するために本体部材を通って延在する。
【００４３】
好ましくは、本体部材は、ライトバルブホルダの電気接地を形成するために導電性材料を備える。
【００４４】
本発明の別の態様において、ライトバルブホルダに結合されたライトバルブの少なくとも１つの発光デバイスを駆動するドライバが、ライトバルブホルダ内に配置される。
【００４５】
本発明の一実施形態において、ライトバルブホルダに結合されたライトバルブの少なくとも１つの発光デバイスへの電力供給を制御する電子制御回路が、ライトバルブホルダ内に配置される。
【００４６】
本発明の別の実施形態において、強制対流を生じさせて、ヒートシンクから熱を放散させるためにファンがライトバルブホルダ内に配置される。
【００４７】
本発明は、本発明に係るライトバルブと、本発明に係るライトバルブホルダと、をやはり提供し、それにおいて、ライトバルブは、ライトバルブからの熱をライトバルブホルダに伝達してライトバルブホルダのヒートシンクにより放散させるために、熱伝導係合によりライトバルブホルダの結合要素内で係合されたライトバルブの第１結合要素とライトバルブホルダ内で係合される。
【００４８】
本発明は、ライトバルブとライトバルブホルダとの組合体も提供し、ライトバルブは、中空内部領域を規定する半透明材料グローブと、ライトバルブをライトバルブホルダに解放可能に結合するためにグローブから延在する第１結合要素であって、熱をライトバルブホルダに伝達するように構成される第１結合要素と、第１結合要素に隣接して配置された少なくとも１つの導電性接点要素と、グローブの中空内部領域内に配置された取付手段と、取付手段上のグローブの中空内部領域内に配置され、少なくとも１つの接点要素に電気的に結合された少なくとも１つのエネルギー効率の良い発光デバイスと、熱を少なくとも１つの発光デバイスから第１結合要素に伝達するために取付手段および第１結合要素に結合された熱移動手段と、を備え、ライトバルブホルダは、ライトバルブをライトバルブホルダに結合するために、かつライトバルブからライトバルブホルダに熱を伝達するために、ライトバルブの第１結合要素と解放可能に伝熱係合している第２結合要素と、ライトバルブから伝達された熱を減衰させ放散させるために第２結合要素と熱伝導係合しているヒートシンクと、電力をライトバルブの少なくとも１つの発光デバイスに供給するためにライトバルブの接点要素と導電性接触している第２結合要素に隣接した少なくとも１つの導電性接点要素と、を備える。
【００４９】
本発明の一態様において、第１結合要素は、ライトバルブの長手方向に延在する中心軸を規定する。
【００５０】
本発明の別の態様において、第２結合要素は、ライトバルブホルダの長手方向に延在する中心軸を規定する。
【００５１】
好ましくは、ライトバルブおよびライトバルブホルダは、ライトバルブがライトバルブホルダ内で係合されたとき、ライトバルブおよびライトバルブホルダの中心軸が一致するように構成される。
【００５２】
有利には、第１結合要素および第２結合要素は、熱伝導係合により互いに係合するように構成される。
【００５３】
本発明の一態様において、ライトバルブの第１結合要素は、プラグ要素を備える。
【００５４】
本発明の別の態様において、ライトバルブホルダの第２結合要素は、ライトバルブの対応する第１結合要素を受けるソケットを規定する。
【００５５】
本発明の別の態様において、第１結合要素は、ねじ切り部分を備え、第２結合要素は、相補ねじ切り部分を備える。
【００５６】
好ましくは、第１結合要素のねじ切り部分は、その雄ねじ切りされた部分を備え、第２結合要素のねじ切り部分は、雌ねじ切りされた部分を備える。有利には、ライトバルブのプラグ要素は、雄ねじ切りされる。
【００５７】
好ましくは、ライトバルブホルダの第２結合要素によって規定されるソケットは、雌ねじ切りされる。
【００５８】
有利には、第１結合要素および第２結合要素のねじ切り部分は、細目ねじ、並目ねじ、およびエジソン口金ねじのうちの１つを備える。
【００５９】
あるいは、第１結合要素は、差し込み口金プラグ要素を備え、第２結合要素は、差し込みソケット要素を備える。
【００６０】
本発明の一態様において、熱移動手段は、取付手段から第１結合要素まで延在する。
【００６１】
本発明の別の態様において、熱移動手段は、第１結合要素内に配置される。好ましくは、熱移動手段は、第１結合要素と熱伝導係合している。
【００６２】
有利には、熱移動手段は、取付手段と熱伝導係合している。理想的には、熱移動手段は、熱伝導により少なくとも１つの発光デバイスから第１結合要素に熱を伝達するように構成される。
【００６３】
本発明の一態様において、熱移動手段は、熱伝導材料を備える。
【００６４】
本発明の別の態様において、熱移動手段は、第１結合要素と熱伝導係合している熱移動部材を備える。
【００６５】
好ましくは、少なくとも１つの発光デバイスは、少なくとも１つの発光デバイスから取付手段に熱を伝達するように取付手段に構成される。有利には、少なくとも１つの発光デバイスは、熱伝導により、少なくとも１つの発光デバイスから取付手段に熱を伝達するように取付手段に構成される。
【００６６】
本発明の別の態様において、取付手段は、熱移動手段に取り付けられる。好ましくは、取付手段は、熱移動手段の遠位端に取り付けられる。
【００６７】
本発明の別の態様において、取付手段は、第１結合要素に向けてグローブ内に配置される。好ましくは、取付手段は、第１結合要素に隣接してグローブ内に配置される。
【００６８】
本発明の別の態様において、少なくとも１つの発光デバイスから、第１結合要素から離隔されたグローブ内の位置に光を伝達するために、取付手段からグローブの中空内部領域中に延在するレンズが提供される。好ましくは、レンズは、ライトバルブの中心軸に沿って取付手段からグローブの中空内部領域内の実質的に中心位置に延在する。
【００６９】
本発明の別の態様において、熱移動手段は、第１結合要素からグローブの中空内部領域中に延在する細長いピラーを備え、取付手段はピラーに取り付ける。好ましくは、ピラーは、ライトバルブの中心軸上のグローブの中空内部領域の実質的に中心位置に隣接した遠位端で終わる。有利には、取付手段は、その遠位端に隣接したピラーに取り付けられる。
【００７０】
本発明の別の態様において、熱移動手段は、第１結合要素を備える。
【００７１】
本発明の別の態様において、ライトバルブの少なくとも１つの接点要素は、第１結合要素と同心に配置され、ライトバルブホルダの少なくとも１つの接点要素は、第２結合要素と同心に配置される。
【００７２】
好ましくは、ライトバルブホルダの少なくとも１つの接点要素は、ライトバルブホルダの結合要素によって規定されるソケット内に配置される。
【００７３】
本発明の別の態様において、ライトバルブの対の接点要素は、互いに離隔された第１結合要素に隣接して配置され、ライトバルブホルダの対の接点要素は、互いに離隔された第２結合要素に隣接し、ライトバルブの接点要素のうちの対応するものと電気的に接触して配置される。好ましくは、ライトバルブの対の接点要素の第１接点要素は、中心に配置された接点要素を構成し、ライトバルブの対の接点要素の第２接点要素は、第１接点要素の周りに延在する。有利には、ライトバルブの第２接点要素は、ライトバルブの中心軸と同心である。好ましくは、ライトバルブの第１接点要素は、ライトバルブの中心軸と同心である。有利には、ライトバルブの第１接点要素および第２接点要素は、互いに電気的に絶縁される。好ましくは、ライトバルブの各接点要素は、第１結合要素から電気的に絶縁される。有利には、ライトバルブの各接点要素は、熱移動手段から電気的に絶縁される。
【００７４】
本発明の一態様において、ライトバルブホルダは、本体部材と、本体部材中に延在する雌ねじにねじ切りされたソケットおよび差し込みソケット要素のうちの１つと、を備える。
【００７５】
本発明の別の態様において、ライトバルブホルダの対の接点要素の一方は、第１接点要素を構成し、ライトバルブホルダの対の接点要素の他方は、第２接点要素を構成し、ライトバルブホルダの第１接点要素および第２接点要素は、それぞれ、ライトバルブの第１接点要素および第２接点要素と電気的に接触している。
【００７６】
好ましくは、ライトバルブホルダの第１接点要素は、ライトバルブホルダの第２結合要素に対して中心に配置される。有利には、ライトバルブホルダの第２接点要素は、ライトバルブホルダの第１接点要素の周りに延在する。好ましくは、ライトバルブホルダの第２接点要素は、ライトバルブホルダの第１接点要素と同心に配置される。有利には、ライトバルブホルダの第１接点要素は、ライトバルブホルダの中心軸と同心に配置される。
【００７７】
本発明の一態様において、ライトバルブホルダの第１接点要素および第２接点要素は、互いに電気的に絶縁される。有利には、ライトバルブホルダの各接点要素は、第２結合要素から電気的に絶縁される。好ましくは、ライトバルブホルダの各接点要素は、ライトバルブホルダの本体部材から電気的に絶縁される。
【００７８】
本発明の別の態様において、熱移動手段は、ライトバルブの各接点要素から導電体を収容するために貫通して延在するボアを規定する。好ましくは、各導電体は、少なくとも１つの発光デバイスに電力を供給するために熱移動手段を通って延在するボアを通ってライトバルブの対応する接点要素から延在する。
【００７９】
本発明の別の態様において、ボアは、ライトバルブホルダの各接点要素から延在する導電体を収容して、対応する接点要素に電力を供給するために、ライトバルブホルダの本体部材を通って延在する。
【００８０】
好ましくは、ライトバルブホルダの少なくとも１つの接点要素は、ライトバルブホルダの第２結合要素内に配置される。
【００８１】
有利には、ライトバルブの熱移動手段、取付手段、および第１結合要素は、導電性材料を備え、少なくとも１つの発光デバイスの電気接地を形成するように構成される。
【００８２】
本発明の別の態様において、本体部材は、ライトバルブホルダの電気接地を形成するために導電性材料を備える。
【００８３】
本発明の他の態様において、取付手段は、ライトバルブの中心軸に沿って見たとき、平面図における外周輪郭を規定し、取付手段の平面図における外周輪郭は、ライトバルブの中心軸に沿って見たとき、第１結合要素の平面図における外周輪郭を越えない。
【００８４】
本発明の他の態様において、取付手段は、少なくとも１つの発光デバイスが配置される基盤を備える。
【００８５】
本発明の一態様において、取付手段は、少なくとも１つの発光デバイスが配置される部分的に実質的に球面を規定する。
【００８６】
本発明の別の態様において、取付手段および少なくとも１つの発光デバイスは、グローブの中空内部領域内に配置され、したがって、ライトバルブの中心軸周りに延在する３６０°の角度にわたってグローブから光が放射される。
【００８７】
好ましくは、取付手段および少なくとも１つの発光デバイスは、グローブの中空内部領域内に配置され、したがって、副軸が中心軸周りに回転されるとき、取付手段に隣接した中心軸に対して横断方向に延在する副軸周りの２７０°から３５５°までの範囲の角度にわたってグローブから光が放射される。好ましくは、取付手段および少なくとも１つの発光デバイスは、グローブの中空内部領域内に配置され、したがって、副軸周りの３００°から３５０°の範囲の角度にわたってグローブから光が放射される。有利には、取付手段および少なくとも１つの発光デバイスは、グローブの中空内部領域内に配置され、したがって、副軸周りの約３４０°の角度にわたってグローブから光が放射される。
【００８８】
好ましくは、複数の発光デバイスが、取付手段に取り付けられる。
【００８９】
本発明の一態様において、各発光デバイスは、表面実装の発光デバイスを備える。
【００９０】
本発明の別の態様において、各発光デバイスは、発光ダイオードを備える。
【００９１】
本発明の別の態様において、各発光デバイスは、チップオンボードデバイスを備える。
【００９２】
本発明の別の態様において、ライトバルブホルダのヒートシンクは、本体部材と、本体部材から外に向けて延在する複数の熱交換フィンと、を備える熱交換器を備える。好ましくは、ライトバルブホルダの本体部材は、細長い本体部材を備える。有利には、熱交換フィンは、本体部材に沿って概して長手方向に延在し、本体部材の周りで円周方向に離隔される。好ましくは、熱交換フィンは、ライトバルブホルダの中心軸に実質的に平行に延在する。有利には、熱交換フィンは、本体部材の周りで円周方向に等間隔で離隔される。好ましくは、熱交換フィンは、ライトバルブホルダの中心軸に沿って平面で見たとき、弓形形状である。
【００９３】
本発明の一態様において、本体部材および熱交換フィンは、熱伝導材料を備える。
【００９４】
本発明の別の態様において、本体部材は、大きな熱質量を有する。
【００９５】
好ましくは、ライトバルブホルダの第２結合要素は、本体部材内に形成され、本体部材と同心である。
【００９６】
本発明の別の態様において、ライトバルブの少なくとも１つの発光デバイスを駆動するドライバは、ライトバルブホルダ内に配置される。
【００９７】
本発明の他の態様において、電子制御回路が、少なくとも１つの発光デバイスへの電力供給を制御するために提供される。
【００９８】
本発明のさらに他の態様において、強制対流を生じさせて、ヒートシンクから熱を放散させるためにファンがライトバルブホルダ内に配置される。
【００９９】
本発明は、添付の図面を参照して、例示だけにより示されるそのいくつかの好ましい実施形態の以下の説明からより明確に理解されよう。
【図面の簡単な説明】
【０１００】
【図１】本発明に係るライトバルブの正面図である。
【図２】図１の線ＩＩ〜ＩＩ上の図１のライトバルブの断面側面図である。
【図３】図１の線ＩＩＩ〜ＩＩＩ上の図１のライトバルブの断面上面図である。
【図４】図１の線ＩＶ〜ＩＶ上の図１のライトバルブの断面上面図である。
【図５】図１のライトバルブとの、やはり本発明に係る組合体で使用する、やはり本発明に係るライトバルブホルダの正面図である。
【図６】図５の線ＶＩ〜ＶＩ上の図５のライトバルブホルダの断面側面図である。
【図７】図５のライトバルブホルダの上面図である。
【図８】図５の線ＶＩＩＩ〜ＶＩＩＩ上の図５のライトバルブホルダの断面上面図である。
【図９】図５の線ＩＸ〜ＩＸ上の図５のライトバルブホルダの断面上面図である。
【図１０】図１のライトバルブと図５のライトバルブホルダとの本発明に係る組合体の断面正面図である。
【図１１】本発明の別の実施形態に係るライトバルブの正面図である。
【図１２】図１１の線ＸＩＩ〜ＸＩＩ上の図１１のライトバルブの断面側面図である。
【図１３】図１１の線ＸＩＩＩ〜ＸＩＩＩ上の図１１のライトバルブの断面上面図である。
【図１４】図１１の線ＸＩＶ〜ＸＩＶ上の図１１のライトバルブの断面上面図である。
【図１５】本発明の別の実施形態によるライトバルブホルダの正面図である。
【図１６】図１５の線ＸＶＩ〜ＸＶＩ上の図１５のライトバルブホルダの断面上面図である。
【図１７】本発明に係る、やはり本発明に係るライトバルブと、やはり本発明に係るライトバルブホルダとの組合体の斜視図である。
【図１８】図１７のライトバルブとライトバルブホルダとの組合体の断面側面図である。
【図１９】図１７の組合体のライトバルブの断面側面図である。
【図２０】図１７の組合体のライトバルブホルダの断面側面図である。
【図２１】図１７の組合体のライトバルブホルダの上面図である。
【図２２】本発明の別の実施形態による、やはり本発明に係るライトバルブと、やはり本発明に係るライトバルブホルダとの組合体の断面側面図である。
【図２３】図２２の組合体のライトバルブの底面図である。
【図２４】図２２の組合体のライトバルブホルダの上面図である。
【発明を実施するための形態】
【０１０１】
図面を、初めはその図１〜図１０を参照すると、本発明に係る、参照番号３で全体的に示されるライトバルブと、やはり本発明に係る、参照番号５で全体的に示されるライトバルブホルダとの、やはり本発明に係る、参照番号１で全体的に示される組合体が例示されている（図１０参照）。ライトバルブ３は、本発明のこの実施形態において、表面実装の発光ダイオードである、複数の発光デバイス７を備える。半透明のガラス製のグローブ８が、以下に説明するように、その内側に発光デバイス７が配置される中空内部領域９を規定する。ライトバルブ３をライトバルブホルダ５に解放可能に結合する第１結合要素１０が、グローブ８から延在し、適切な接着セメントまたは他のこのような適切な固定手段によりグローブ８に固定される。グローブ８は、部分的球形部分６を備え、部分的球形部分６は円筒状部分１１で終わり、円筒状部分１１は同様に第１結合要素１０まで延在する。グローブ８とともに第１結合要素１０は、ライトバルブ３の長手方向に延在する中心軸１３を規定する。
【０１０２】
本発明のこの実施形態において、第１結合要素１０は、プラグ要素の形態で外殻１２を備え、外殻１２には雄ねじ１４が設けられ、雄ねじ１４は、以下に説明するように、ライトバルブホルダ５内の対応する雌ねじ１５に解放可能に係合するように適合される。雄ねじ１４および雌ねじ１５は、それぞれ、細目ねじまたは並目ねじまたはエジソン口金ねじでよい。結合要素１０の外殻１２は、熱伝導性および導電性の材料であり、本発明のこの実施形態において、それは、以下にやはり説明するように、ライトバルブ３からライトバルブホルダ３に熱を伝導して、熱を放散させるために、真ちゅう、銅、またはアルミニウムであり得る。
【０１０３】
熱移動部材を備える熱移動手段は、本発明のこの実施形態では、熱移動部材が、熱伝導性および導電性の材料の細長いピラー１６によって提供され、この場合、ピラーが、銅、真ちゅう、またはアルミニウムでよいが、結合要素１０の外殻１２に固定され、外殻１２と熱伝導係合および導電係合し、中心軸１３と同心であり、結合要素１０の外殻１２からグローブ８の中空内部領域９中に延在する。ピラー１６は、第１結合要素１０の外殻１２の対応する雌ねじ２０に係合する雄ねじ切りされたプラグ部分１９における近位端１７で終わる。ピラー１６のプラグ部分および外殻１２の雌ねじ２０のねじ山は、典型的には、外殻１２の雄ねじ１４のねじ山と同様の種類であるが、別の種類でもよい。
【０１０４】
熱伝導性および導電性の材料の球形取付部材１８を備える取付手段は、本発明のこの実施形態では、球形取付部材１８が、銅、真ちゅう、またはアルミニウム製でよいが、発光デバイス７を支えるためのグローブ８の中空内部領域９内のピラー１６の遠位端２１に取り付けられる。取付部材１８は、中空であるが、その上に取り付けられた発光デバイス７からの良好な熱伝導をもたらすのに十分な壁の厚さがあり、伝導による発光ダイオードからピラー１６への熱の伝達のためにピラー１６と熱伝導係合している。取付部材１８は、グローブ８の部分的球形部分６内の実質的に中心に配置され、グローブ８の部分的球形部分６と同心である。
【０１０５】
導電性接点要素２２が、ライトバルブ３への電力供給に関して以下に説明するように、ライトバルブホルダ５内の対応する接点要素２４に電気的に係合するために結合要素１０の外殻１２の端部２３に隣接して配置される。接点要素２２は、ライトバルブ３の中心軸１３と同心であり、このような接点要素が従来の白熱ライトバルブ結合要素の対応する外殻から電気的に絶縁されるのと同様に、電気絶縁材料の部材２７によって結合要素１０の外殻１２から電気的に絶縁される。接点要素２２は、ピラー１６のプラグ部分１９からも電気的に絶縁される。
【０１０６】
長手方向に延在する中心ボア２５は、ピラー１６を通って延在し、接点要素２２から取付部材１８によって規定される中空内部領域２８内に配置されたコネクタ要素３０への導電体２６を収容する。導体２６は、接点要素２２およびコネクタ要素３０に電気的に接続され、外殻１２、ピラー１６、および取付部材１８から電気的に絶縁される。それぞれの発光デバイス７の正端子（図示せず）は、取付部材１８を通って発光デバイス７の正端子（図示せず）まで延在する導線２９によってコネクタ要素３０に電気的に結合される。コネクタ要素３０は、ピラー１６および取付部材１８から電気的に絶縁され、導線２９は、取付部材１８から電気的に絶縁される。それぞれの発光デバイス７の負端子は、取付部材１８に接続され、取付部材１８は、以下に説明するように、ライトバルブホルダ５から発光デバイス７の負端子へ接地接続するために、ピラー１６を通して第１結合要素１０の外殻１２に電気的に結合される。
【０１０７】
発光デバイス７は、取付部材１８に取り付けられ、したがって、発光デバイス７によって発生した熱の実質的に大部分が、熱伝導により発光デバイス７から取付部材１８に伝達される。上述のように、球形取付部材１８の壁の厚さは、発光デバイス７によって発生した熱を発光デバイス７からピラー１６中に容易に伝導するようなものである。同様に、ピラー１６の壁の厚さは、発光デバイス７によって発生した熱を取付部材１８から結合要素１０の外殻１２に伝達するのに十分であり、それは、今度は、以下に説明するように、ライトバルブホルダ５中に伝達され、ライトバルブホルダ５は、発光デバイス７が７０℃の臨界安全動作温度未満の温度で動作するために、発光デバイス７によって発生した熱がそれから放散されるヒートシンクとして働く。
【０１０８】
次にライトバルブホルダ５に移ると、ライトバルブホルダ５は、熱伝導性でもあり導電性でもある材料、例えば、真ちゅう、銅またはアルミニウムの細長い円筒状本体部材４６を備える円筒状ハウジング３１を備える。ハウジング３１は、ライトバルブ３がライトバルブホルダ５に結合されたとき、ライトバルブ３の長手方向に延在する中心軸１３に一致する長手方向に延在する中心軸３２を規定する。ハウジング３１は、本体部材４６中に延在するソケット３３によって形成された第２結合要素を備え、それは導電係合および熱伝導係合によりライトバルブ３の第１結合要素１０の外殻１２の雄ねじ１４と係合するために、雌ねじ１５により雌ねじ切りされ、したがって、発光デバイス７からの球形取付部材１８からピラー１６を通して結合要素１０の外殻１２中に伝導された熱が、ライトバルブホルダ５のハウジング３１の本体部材４６中に容易に伝導される。ソケット３３は、本体部材４６内の中心に配置され、同様に、ハウジング３１内に配置され、ライトバルブホルダ５の中心軸３２と同心で延在する。
【０１０９】
ハウジング３１からの熱を放散させるためのヒートシンクは、本体部材４６から放射状に延在し、本体部材４６の周りで円周方向に等間隔で離隔され、本体部材４６に沿って長手方向に延在し、互いに平行にかつライトバルブホルダ５の中心軸３２に平行に延在する複数の熱交換フィン３４によって設けられた熱交換手段を備える。熱交換フィン３４は、本体部材４６の材料と同様の熱伝導性および導電性の材料、例えば、真ちゅう、銅またはアルミニウム製であり、本体部材４６と一体形成される。本体部材４６および熱交換フィン３４は、押出し成形から成形することができ、機械加工することができ、あるいは、本体部材４６および熱交換フィン３４は、鋳造するまたは組立て製造することができる。
【０１１０】
接点要素２４は、導電材料であり、ソケット３３内に同心に配置され、ライトバルブホルダ５の中心軸３２と同心である。接点要素２４は、電気絶縁材料３９によって本体部材４６から電気的に絶縁される。ソケット３３からハウジング３１の本体部材４６の中心を通って長手方向に延在するボア３５は、本体部材４６のソケット３３内に接点要素２４からの導電体３６を収容する。導体３６は、本体部材４６から電気的に絶縁される。
【０１１１】
逓減した電圧で電力をライトバルブ３内の発光デバイス７に供給する、かつ発光デバイス７の動作および駆動を制御する電子制御回路４０およびドライバ４１が、第１サブハウジング４２を通って延在する開端した円筒状室４８内に配置され、第１サブハウジング４２はハウジング３１に固定され、ハウジング３１の上流に配置される。制御回路４０から延在する導線４７は、ＡＣ幹線電力供給を受けるように構成される。ドライバ回路４１からの正出力は、導体３６に加えられ、ドライバ回路４１からの負出力は、ハウジング３１に加えられる。ドライバ回路４１からの正の電力供給は、導体３６、接点要素２２および２４、導体２６、コネクタ要素３０ならびに導線２９を通して発光デバイス７の正端子に加えられる。ドライバ回路４１からの負の電力供給は、ハウジング３１、外殻１２、ピラー１６、および取付部材１８がすべて導電性材料であり、すべて電気的に接触係合しているので、ライトバルブホルダ５のハウジング３１、ライトバルブ３の第１結合要素１０の外殻１２、ピラー１６、および取付部材１８を通して、発光デバイス７の負端子に加えられる。
【０１１２】
あるいは、電子制御回路およびドライバを備えるサブハウジング４２は、ライトバルブホルダ５から分離して遠隔に配置することができる。
【０１１３】
第１サブハウジング４２に固定された第２サブハウジング４３は、熱交換フィン３４を通して強制対流を生じさせて、発光デバイス７からライトバルブホルダ５中に伝達されたライトバルブホルダ５からの熱を放散させるために、第１サブハウジング４２内の室４８を通して、同様に、ライトバルブホルダ５のハウジング３１の熱交換フィン３４に沿ってかつ熱交換フィン３４を通して、気流を供給するために開端した円筒状室４９内にファン４４を内蔵する。ファン４４は制御回路４０によって給電され、制御される。
【０１１４】
ハウジング３１は、発光デバイス７の温度が、発光デバイス７が劣化または故障する７０℃の臨界安全動作温度を超えないように、発光デバイス７によって発生した熱を減衰させ放散させるために、相対的に大きな熱質量を形成する。実際に、本発明のこの実施形態において、取付部材１８、ピラー１６、第１結合要素１０の外殻１２の熱伝導能力は、ライトバルブホルダ５のハウジング３１、本体部材４６、および熱交換フィン３４の熱を、減衰させ放散させる能力とともに、発光デバイス７の温度を７０℃を超えない動作温度に維持するのに十分である。
【０１１５】
本発明のこの実施形態において、ピラー１６の直径は、結合要素１０の外殻１２の直径未満である。したがって、ライトバルブ３のグローブ８から放射され、かつライトバルブ３の長手方向に延在する中心軸１３の周りの３６０°にわたって放射される光は、ライトバルブ３の中心軸１３、およびグローブ８の部分的球形部分６の中心を通って、横断方向に延在する副軸４５の周りの約３４０°の角度にわたっても放射される。したがって、光は、第１結合要素１０を含む約２０°の円錐角θを除いて、グローブ８からすべての方向に放射される。
【０１１６】
使用においては、ライトバルブホルダ５内で係合されたライトバルブ３および導線４７によってＡＣ幹線電源に電気的に結合された制御回路４０により、ライトバルブ３とライトバルブホルダ５との組合体１は、使える状態である。電力は、第１サブハウジング４２内の電子制御回路４０およびドライバ４１を通して発光デバイス７に供給され、発光デバイス７は発光を開始し、したがって、半透明グローブ８に向けられ、半透明グローブ８を通って放射される光を生じる。発光デバイス７によって発生した熱は、取付部材１８、ピラー１６、およびライトバルブ３の結合要素１０の外殻１２を通して、発光デバイス７からライトバルブホルダ５のハウジング３１中に伝達され、そこで、熱交換フィン３４を通して循環する周囲空気による自然対流によって、熱交換フィン３４を介して減衰され放散される。発光デバイス７によって発生した熱を熱交換フィン３４を通して放散させるのに自然対流では不十分である場合、ファン４４を制御回路４０の制御下で動作させて、熱交換フィン３４を通して周囲空気の強制対流を生じさせる。
【０１１７】
次に図１１〜図１６を参照すると、参照番号５０で全体的に示される、本発明に係るライトバルブ、および参照番号５１によって全体的に示される、やはり本発明に係るライトバルブホルダが例示される。ライトバルブ５０は、図１〜図１０を参照して説明したライトバルブ３と実質的に同様であり、同様の構成要素は、同じ参照番号で識別される。ライトバルブホルダ５１も、図１〜図１０を参照して説明したライトバルブホルダ５と実質的に同様であり、同様の構成要素は、同じ参照番号で識別される。ライトバルブ５０およびライトバルブホルダ５１は、ライトバルブ５０およびライトバルブホルダ５１の本発明に係る組合体を得るために組合体で使用することができ、さらにライトバルブ３またはライトバルブ５０のいずれかを、本発明に係る組合体を得るためにライトバルブホルダ５またはライトバルブホルダ５１のいずれかに、組み合わせて使用することができ、逆も同様である。
【０１１８】
初めにライトバルブ５０に移ると、ライトバルブ５０とライトバルブ３との主な相違は、グローブ８の中空内部領域９内の発光デバイス７を取り付けるための取付手段にある。本発明のこの実施形態において、取付手段は、ピラー１６の遠位端２１に取り付けられ、ピラー１６と熱伝導係合および導電係合している、真ちゅう、銅またはアルミニウムの取付基盤５２を備える。複数の発光デバイス７は、取付基盤５２の最上部平面５４に互いに離隔されて取り付けられ、複数の発光デバイス７は、取付基盤５２の外周端部５６とピラー１６との間の取付基盤５２の表面５５の下のわずかな凸面に離隔された間隔でやはり配置される。発光デバイス７の入力端子の一方、すなわち、負の入力端子は、取付基盤５２に電気的に結合され、入力端子の他方、すなわち、発光デバイス７の正の入力端子は、第１結合要素１０内の接点要素２２からピラー１６内のボア２５を通って延在する導電体２６に導線（図示せず）によって電気的に結合される。
【０１１９】
他の点では、ライトバルブ５０は、ライトバルブ３と同様であり、その用途は同じく同様である。上述のように、ライトバルブ５０は、ライトバルブホルダ５または次に説明するライトバルブホルダ５１において係合することができる。
【０１２０】
次にライトバルブホルダ５１に移ると、ライトバルブホルダ５１とライトバルブホルダ５との唯一の相違は、ヒートシンクの構造にあり、ヒートシンクは、本発明のこの実施形態において、ライトバルブホルダ５１の本体部材４６から外に向けて放射状に延在し、本体部材４６に対して長手方向に延在し、本体部材４６の周りで円周方向に等間隔で離隔される、複数の放射状に延在する熱交換フィン５８によって提供される。熱交換フィン５８は、本体部材４６の周りに延在し、本体部材４６から離隔され、それと同心である、長手方向に延在するスリーブ５９で終わる。本発明のこの実施形態において、気流が熱交換フィン５８と、本体部材４６と、スリーブ５９との間で規定される複数の導管６０を通して第２サブハウジング４３内のファン（図示せず）によって供給される。本発明のこの実施形態において、ハウジング３１、本体部材４６、熱交換フィン５８、およびスリーブ５９は、熱伝導性および導電性の金属、例えば、真ちゅう、銅、アルミニウム製である。電気絶縁スリーブ６１は、ライトバルブホルダ５１のハウジング３１のスリーブ５９の周りに延在し、スリーブ５９を覆う。
【０１２１】
他の点では、ライトバルブホルダ５１は、ライトバルブホルダ５と同様であり、その用途は同じく同様であり、上述のように、ライトバルブホルダ５１は、ライトバルブ３またはライトバルブ５０のいずれかと併せて使用することができる。
【０１２２】
次に図１７〜図２１を参照すると、やはり本発明に係るライトバルブ７１と、やはり本発明に係るライトバルブホルダ７２と、を備える、参照番号７０で全体的に示される、やはり本発明に係る組合体が例示される。ライトバルブ７１は、ライトバルブ３の第１結合要素１０と実質的に同様である、熱伝導性および導電性の材料の第１結合要素７３と、ライトバルブ３のグローブ８にやはり実質的に同様である、半透明材料のグローブ７４と、を備える。本発明のこの実施形態において、熱移動手段は、第１結合要素７３内に第１結合要素７３と密に熱伝導係合して配置された熱伝導性および導電性の材料の熱移動部材７５を備える。
【０１２３】
熱伝導性および導電性の材料の取付基盤７６を備える取付手段が、熱移動部材７５に取り付けられる。しかし、本発明のこの実施形態において、熱移動部材７５だけが第１結合要素７３からグローブ７４中にわずかに突出しており、したがって、取付基盤７６は、グローブ７４内の第１結合要素７３に実質的に隣接して配置される。この場合、発光ダイオードでもある、複数の離隔された発光デバイス７７が、取付基盤７６に配置される。発光デバイス７７は、取付基盤７６と熱伝導係合しており、取付基盤７６は同様に発光デバイス７７からライトバルブ７１の第１結合要素７３に熱を伝導するために、かつ同様にライトバルブホルダ７２に熱を伝達して熱を放散させるために、熱移動部材７５と熱伝導係合している。
【０１２４】
ボア７８は、第１結合要素７３と同心であり、電気絶縁材料８１によって第１結合要素７３および熱移動部材７５から電気的に絶縁された電気接点要素８０から導電体７９を収容するために熱移動部材７５を通って延在する。導体７９は、熱移動部材７５からも電気的に絶縁され、導線（図示せず）によって発光デバイス７７の端子の一方に電力を提供するのには取付基盤７６にわずかに達しない位置まで延在するが、ライトバルブ３の導線２９と同様である。発光デバイス７７の端子の他方は、取付基盤７６に電気的に結合される。第１結合要素７３、熱移動部材７５および取付基盤７６は、導電性材料であり、発光デバイス７７の電気接地を提供するために電気的に結合される。
【０１２５】
雄ねじ８２が、以下に説明するように、ライトバルブホルダ７２内の対応する雌ねじ８３に係合するためにライトバルブ７１の第１結合要素７３に設けられる。雄ねじ８２および雌ねじ８３は、細目ねじ、並目ねじ、またはエジソン口金ねじでよい。
【０１２６】
グローブ７４は、円筒状部分８６で終わる部分的球形部分８５を備え、円筒状部分８６は、同様に、第１結合要素７３に延在する。ライトバルブ７１は、第１結合要素７３、グローブ７４、熱移動部材７５、および取付基盤７６が同心である長手方向に延在する中心軸８８を規定する。
【０１２７】
取付基盤７６に取り付けられ、発光デバイス７７より上に延在するレンズ９０が、発光デバイス７７からの光をグローブ７４の部分的球形部分８５の中心に伝達し、したがって、ライトバルブ７１の中心軸８８の周りに３６０°で、かつ中心軸８８およびグローブ７４の部分的球形部分８５の中心を通して横断方向に延在する軸周りに約３４０°で、ライトバルブ７１のグローブ７４から光が放射されるようにするために、グローブ７４の部分的球形部分８５の中心に隣接した遠位端９１で終わる。本発明のこの実施形態において、レンズ９０は、半透明材料の細長い固体円筒状部材を備え、それは、発光デバイス７７からの光を、光が放射される実質的に半球のその遠位端９１に伝導するために、その遠位端で実質的に半球となるような形状になっている。発光デバイス７７からの光は、レンズ９０の円筒状表面からも放射される。レンズ９０は、プラスチック材料またはガラス製でよく、そのいずれかが、発光デバイス７７からの光を伝達するのに適している。レンズ９０は、細長い半透明の管状部材としても設けることもでき、細長い半透明の管状部材は、実質的に半球の遠位端で終わっても終わらなくてもよい。
【０１２８】
次にライトバルブホルダ７２に移ると、ライトバルブホルダ７２は、円形横断面の導電性でもある熱伝導材料の本体部材９３を備える。本体部材９３は、ライトバルブ７１がライトバルブホルダ７２に結合されたとき、ライトバルブ７１の中心軸８８と一致する、長手方向に延在する中心軸９４を規定する。第２結合要素は、本体部材９３の一端に同心に形成され、ライトバルブ７１の第１結合要素７３に雄ねじ８２に相補するねじ山８３で雌ねじ切りされ、第１結合要素７３と本体部材９３との間の熱伝導係合によりライトバルブ７１の第１結合要素７３に解放可能に電気的に係合する、ソケット９５を備える。
【０１２９】
本体部材９３は、発光デバイス７７によって発生した熱を減衰させるためのヒートシンクを形成し、ヒートシンクは、本体部材９３の周りで円周方向に等間隔で離隔され、本体部材９３に沿って長手方向に延在する、複数の熱交換フィン９７を備える。熱交換フィン９７は、ライトバルブホルダ７２の中心軸９４に沿って平面で見たとき、わずかに弓形形状であり、本体部材９３から実質的に放射状に外に向けて延在する。
【０１３０】
導電性接点要素９８が、ライトバルブ７１の接点要素８０に電気的に係合するために本体部材９３内のソケット９５の中心に配置される。接点要素９８は、ソケット９５の底部１００内に配置された電気絶縁材料９９によって本体部材９３から電気的に絶縁される。ソケット９５から本体部材９３を通って同心に延在する中心ボア１０１は、電力を接点要素９８に供給するために接点要素９８から延在する導電体１０３を収容する。
【０１３１】
本発明のこの実施形態において、ライトバルブ７１内の発光デバイス７７に給電する制御回路（図示せず）およびドライバ（やはり図示せず）は、適当な低電圧電力を発光デバイス７７に供給するためにライトバルブホルダ７２の上流でかつライトバルブホルダ７２から遠隔のサブハウジング１０５内に配置される。サブハウジング１０５内の制御回路およびドライバ回路（図示せず）からの正の電力は、導体１０３に供給され、負のまたは接地の電力は、ライトバルブホルダ７２の本体部材９３に供給され、したがって、正の電力は、導体１０３、接点要素９８および接点要素８０、導体７９、ならびに取付基盤７６を通って延在する導線（図示せず）を通して発光デバイス７７の正の入力端子に供給される。負のまたは接地の電力は、ライトバルブホルダ７２の本体部材９３、第１結合要素７３、熱移動部材７５およびライトバルブ７１の取付基盤７６を通して発光デバイス７７の負の入力端子に供給される。
【０１３２】
本発明のこの実施形態において、ライトバルブホルダ７２にファンを設けない。しかし、本体部材９３は、十分な熱質量となるように寸法設定され、熱交換フィン９７は、発光デバイス７７の温度を７０℃の臨界温度未満に維持するために周囲空気による自然対流により十分に放熱するようにやはり寸法設定される。
【０１３３】
使用においては、適切なＡＣ幹線電源に結合されたサブハウジング１０５内に配置された制御回路およびドライバ回路により、かつライトバルブホルダ７２の本体部材９３のソケット９５内で係合された第１結合要素７３を用いてライトバルブホルダ７２に結合されたライトバルブ７１により、ライトバルブ７１およびライトバルブホルダ７２は、使える状態である。サブハウジング１０５内に配置された制御回路およびドライバ回路に電力を供給すると、発光デバイス７７は発光を開始する。発光デバイス７７によって発生した熱は、取付基盤７６、熱移動部材７５、ライトバルブ７１の第１結合要素７３を通してライトバルブホルダ７２の本体部材９３中に伝達され、そこから、熱交換フィン９７を通して空気の自然対流によって放散される。
【０１３４】
図２２〜図２４を参照すると、やはり本発明に係るライトバルブ１１１と、やはり本発明に係るライトバルブホルダ１１２とのやはり本発明に係る組合体１１０が例示される。ライトバルブ１１１とライトバルブホルダ１１２との組合体１１０は、ライトバルブ７１とライトバルブホルダ７２との組合体７０と実質的に同様であり、ライトバルブ１１１とライトバルブホルダ１１２との組合体１１０の同様の構成要素が同じ参照番号で識別される。ライトバルブ１１１とライトバルブ７１、およびライトバルブホルダ１１２とライトバルブホルダ７２との唯一の相違は、ライトバルブホルダ１１２からライトバルブ１１１に電力を供給する接点要素にある。さらに、本発明のこの実施形態において、レンズ９０がライトバルブ１１１から省略されている。しかし、ライトバルブ１１１のグローブ７４は、拡散型の半透明材料である。
【０１３５】
本発明のこの実施形態において、接点要素の対、すなわち、両方とも導電性金属の第１接点要素１１５と第２接点要素１１６とが、ライトバルブ１１１の第１結合要素７３の端部１１７に設けられる。第１接点要素１１５は、端部１１７に隣接した第１結合要素７３上の中心に配置され、第１結合要素７３およびライトバルブ１１１の中心軸８８と同心であり、ライトバルブ１１１の導体７９に電気的に結合される。第２接点要素１１６は、第１接点要素１１５の周りに延在し、第１接点要素１１５と同心であり、同様にライトバルブ１１１の中心軸８８と同心である環状接点要素を備える。第１接点要素１１５および第２接点要素１１６は、第１結合要素７３内の電気絶縁材料１１９によって、互いに電気的に絶縁され、両方とも、第１結合要素７３から電気的に絶縁される。電気絶縁材料１１９は、第１接点要素１１５および第２接点要素１１６を熱移動部材７５からやはり電気的に絶縁する。第２接点要素１１６に電気的に結合された第２導電体１２０が、熱移動部材７５内のボア７８を通って延在し、取付基盤７６に電気的に結合され、したがって、発光デバイス７７が、第１接点要素１１５および第２接点要素１１６、ならびに導体７９および第２導体１２０を通して給電される。
【０１３６】
対応する第１導電性接点要素１２１および第２導電性接点要素１２２は、それぞれ、ライトバルブホルダ１１２内のソケット９５の底部１００内に配置される。第１接点要素１２１は、ソケット９５およびライトバルブホルダ１１２の中心軸９４と同心に配置される。第２接点要素１２２は、第１接点要素１２１の周りに延在し、第１接点要素１２１と同心であり、同様にライトバルブホルダ１１２の中心軸９４と同心である環状接点要素を備える。第１接点要素１２１および第２接点要素１２２は、ソケット９５の底部１００内の電気絶縁材料１２３によって、互いに電気的に絶縁され、両方とも、本体部材９３から電気的に絶縁される。
【０１３７】
導電体１０３は、第１接点要素１２１に電力を供給するために第１接点要素１２１からライトバルブホルダ１１２の本体部材９３内のボア１０１を通って延在する。第２導電体１２５は、第２接点要素１２２に電気的に結合され、第２接点要素１２２に電力を供給するために第２接点要素１２２からライトバルブホルダ１１２の本体部材９３内のボア１０１を通って延在する。本発明のこの実施形態において、正の電力は、ライトバルブホルダ１１２の上流のライトバルブホルダ１１２から遠隔のサブハウジング１０５内に配置された制御回路およびドライバ回路（図示せず）から導体１０３に供給され、負の電力は、サブハウジング１０５内の制御回路およびドライバ回路（図示せず）から第２導体１２５に供給される。したがって、本発明のこの実施形態において、発光デバイス７７への正および負の電力は、導体１０３および導体１２５、ならびにライトバルブホルダ１１２の第１接点要素１２１および第２接点要素１２２を通して、かつ第１接点要素１１５および第２接点要素１１６、ならびにライトバルブ１１１の導体７９および導体１２０を通して、発光デバイス７７に供給されるので、ライトバルブホルダ１１２の本体部材９３とライトバルブ１１１の第１結合要素７３との間には電気的導通は必要とされない。
【０１３８】
ライトバルブ１１１内にレンズがないことにより、ライトバルブ１１１のグローブ７４が、透明材料ではなく、拡散型半透明材料であれば、光がライトバルブ１１１のグローブ７４から放射される方向が、かなりの範囲まで制限されない。
【０１３９】
他の点では、ライトバルブ１１１とライトバルブホルダ１１２との組合体１１０は、ライトバルブ７１とライトバルブホルダ７２との組合体７０と同様である。しかし、本発明のこの実施形態において、電力が導体１０３および導体７９ならびに導体１２５および導体１２０を通して発光ダイオード７７に供給され、ライトバルブホルダ１１２の本体部材９３にも、第１結合要素７３にも供給されないので、ライトバルブホルダ１１１の熱移動部材７５および取付基盤７６は、導電性材料である必要があり、任意の適切な熱伝導材料、例えば、熱可塑性材料でよい。
【０１４０】
本発明に係るライトバルブと、やはり本発明に係るライトバルブホルダとの組合体の利点は、数多くある。本発明の特に重要な利点は、これまでに知られているこのような発光デバイスのライトバルブにおける場合のように、熱の減衰および熱の放散が、ライトバルブ中の熱交換手段によるのではなく、ライトバルブホルダから行われるので、ライトバルブホルダが発光デバイスによって発生した熱を減衰および放散させるためのヒートシンクを形成するという事実のおかげで、ライトバルブを熱交換フィンまたは任意の他の熱交換手段なしで提供できることである。これにより、これまで知られているこのような発光デバイスのライトバルブに必要な熱伝導金属の量と対照的に、本発明に係るライトバルブに必要な熱伝導金属の量が大幅に低減される。本発明に係るライトバルブに必要な金属の量の低減により、２つの特に重要な利点が得られる。第一に、本発明に係るこのような発光デバイスのライトバルブを製造する費用が、これまでに知られているこのようなライトバルブを製造する費用に比べて大幅に低減され、第二に、本発明に係るライトバルブの処分が、これまでに知られている発光デバイスのライトバルブの処分よりも大幅に単純である。
【０１４１】
本発明に係るライトバルブの他の特に重要な利点は、発光デバイスによって放射された光が、ライトバルブの長手方向に延在する中心軸周りに３６０°でそのグローブを通してライトバルブから放射され、グローブの部分的球形部分の中心を通って延在するライトバルブの中心長手方向軸に垂直に中心長手方向軸を通って延在する任意の軸周りに約３４０°以上の角度で放射され、したがって、光が、第１結合要素を含む円錐角θを除いてグローブからすべての方向に放射されることである。したがって、ライトバルブは、従来の白熱ライトバルブを使用することができる用途、例えば、吊り下げペンダント灯、壁灯、電気スタンド、フロアスタンド、または光がライトバルブの中心軸周りに実質的に３６０°で、かつライトバルブの中心軸に垂直に中心軸を通って、かつグローブの部分的球形部分の中心を通って延在する軸周りに約３４０°の角度以内ですべての方向に、ライトバルブのグローブから発散することが所望される任意の他の備品に適切である。
【０１４２】
本発明の他の利点は、熱がライトバルブホルダを通してライトバルブから放散されるという事実のおかげで、本発明に係るライトバルブには、はるかに高い光出力を生成する発光デバイスを設けることができ、この出力は、主としてヒートシンクの熱放散能力ならびに第１結合要素および第２結合要素の雄ねじおよび雌ねじの熱伝導特性によって制限されるにすぎない。
【０１４３】
本発明に係るライトバルブとライトバルブホルダとの組合体の追加の利点は、発光デバイスの制御回路およびドライバがライトバルブホルダ内にまたはそこから遠隔かつ上流に配置されるという事実のおかげで、ライトバルブホルダが１２ボルト以下の電圧で動作する低電圧ライトバルブホルダとなることである。これにより、ライトバルブホルダのハウジング内に高電圧の危険がないという点において、特に重要な安全上の利点が得られる。この利点は、電気スタンドの場合に特に重要であり、その場合、ライトバルブを子供の手でライトバルブホルダから取り外すことができ、その後、子供が自分の指をライトバルブホルダに挿入することがあり、ＡＣ幹線電圧の従来の白熱ライトバルブの電気スタンドの場合、致命的な結果を伴うことになり得る。
【０１４４】
第１結合要素１０のピラー１６および外殻１２、ならびにライトバルブ３およびライトバルブ５０の部分的球形取付部材および取付基盤が、それぞれ、真ちゅう、銅またはアルミニウム製であるものとして説明してきたが、これらの要素の材料は、任意の他の適切な熱伝導性および導電性の材料でもよい。
【０１４５】
ある場合、結合要素のピラー、外殻、ライトバルブ３およびライトバルブ５０の球形取付部材および取付基盤の材料は、必ずしも導電性材料である必要がなく、これらの要素の材料が導電性でない場合、他の適切な導電性要素が電力を発光デバイスに供給するために設けられることも想定される。例えば、電気接点要素の対が、例えば、図１７〜図２４を参照して説明した実施形態におけるように、ライトバルブホルダのソケット内に配置される、対応する結合要素の対に係合可能な、ライトバルブの第１結合要素内に設けることができることが想定される。同様に、ライトバルブの第１結合要素内の接点要素の対応する対に係合可能なライトバルブホルダのソケット内に接点要素の対が設けられる場合、ライトバルブホルダの本体部材が導電性材料でなくてよいことが想定される。このような場合、導電体の対が、発光デバイスに電力を供給するために接点要素からライトバルブのピラー内のボアを通って延在し、導電体の対が、ライトバルブホルダのソケット内の接点要素に電力を供給するために本体部材内のボアを通って延在することが想定される。言うまでもなく、ライトバルブホルダ内の接点要素に電力を供給する、かつライトバルブの第１結合要素内の接点要素から発光デバイスに電力を供給する他の適切な配列を提供することができる。
【０１４６】
ライトバルブを複数の発光デバイスを備えるものとして説明してきたが、本発明のある実施形態においては、単一の発光デバイスを設けることができることがやはり想定される。
【０１４７】
発光デバイスを表面実装の発光デバイスとして説明してきたが、発光デバイスは、表面実装の発光ダイオードの他に、任意の他の表面実装の発光デバイスを備えることができることも理解され、発光デイバスが表面実装のデバイスであることは必須でないことも理解されよう。
【０１４８】
ライトバルブおよびライトバルブホルダの第１結合要素および第２結合要素を、特有の種類の雄ねじおよび雌ねじが設けられているものとして説明してきたが、ライトバルブおよびライトバルブホルダの第１結合要素および第２結合要素には、任意の他の適切なねじを設けることができる。言うまでもなく、ある場合、第１結合要素のプラグ要素には、差し込み結合接続金具を設けることができ、ライトバルブホルダには、相補差し込み結合接続金具が設けられる。言うまでもなく、ライトバルブおよびライトバルブホルダの第１結合要素および第２結合要素は、任意の他の適切で互換可能な相補構成の形態で設けることができる。
【０１４９】
図１〜図１６を参照して説明したライトバルブホルダを、ファンを備えるものとして説明してきたが、これは利点でありながらも、必須ではない。
【０１５０】
ライトバルブホルダ内にまたはライトバルブホルダに結合されたサブハウジング内に発光デバイスの制御回路およびドライバを設ける代わりに、制御回路およびドライバは、図１７〜図２４を参照して説明したライトバルブホルダの場合のように、ライトバルブホルダの遠隔かつ上流に配置することができることがやはり想定される。
【０１５１】
図１〜図２４を参照して説明されるライトバルブのグローブ、および図１７〜図２１を参照して説明してきたライトバルブのレンズは、半透明材料であるものとして説明してきたが、グローブおよびレンズは、両方とも、半透明材料でも透明材料でもよい。
【０１５２】
図２２〜図２４を参照して説明してきたライトバルブおよびライトバルブホルダの実施形態においては、２つの電気接点要素をライトバルブの第１結合要素およびライトバルブホルダの第２結合要素内に設けるものとして説明し、接点要素のそれぞれの対が、ある場合、互いに同心に配置されるものとして説明してきたが、接点要素の各対を、互いに同心に設けることは必須ではない可能性があること、例えば、ある場合、接点要素は並んで、ただし互いに離隔されて配置することができることが想定される。これはライトバルブおよびライトバルブホルダの第１結合要素および第２結合要素が差し込み接続として構成された場合、特にそうである。
【０１５３】
さらに、第１結合要素および第２結合要素にねじ山が設けられる場合でも、第１結合要素および第２結合要素の両方における第２接点要素を環状接点要素として設ける必要がなく、第１結合要素または第２結合要素のいずれかにおける第２接点要素の一方を環状接点として設け、第２接点要素の他方を単一のディスク接点要素として設けることができれば十分であることが想定される。しかし、ディスク接点要素は、環状接点要素の半径と同様の距離を、対応する中心軸から離隔しなければならないであろう。
【符号の説明】
【０１５４】
１  組合体
３  ライトバルブ
５  ライトバルブホルダ
６  部分的球形部分
７  発光デバイス
８  グローブ
９  中空内部領域
１０  第１結合要素
１１  円筒状部分
１２  外殻
１４  雄ねじ
１５  雌ねじ
１６  ピラー
１８  球形取付部材
１９  雄ねじ切りされたプラグ部分
２０  雌ねじ
２１  遠位端
２２  導電性接点要素
２４  接点要素
２５  中心ボア
２６  導電体
２８  中空内部領域
２９  導線
３０  コネクタ要素
３１  円筒状ハウジング
３３  ソケット
３４  熱交換フィン
３５  ボア
３６  導体
３９  電気的絶縁材料
４０  電子制御回路
４１  ドライバ
４２  第１サブハウジング
４３  第２サブハウジング
４４  ファン
４６  円筒状本体部材
４７  導線
４８  開端した円筒状室
４９  開端した円筒状室
５０  ライトバルブ
５１  ライトバルブホルダ
５２  取付基盤
５４  最上部平面
５６  外周端部
５８  熱交換フィン
５９  スリーブ
６０  複数の導管
６１  電気的絶縁スリーブ
７１  ライトバルブ
７２  ライトバルブホルダ
７３  第１結合要素
７４  グローブ
７５  熱移動部材
７６  取付基盤
７７  発光ダイオード
７８  ボア
７９  導体
８０  電気的接点要素
８１  電気的絶縁材料
８２  雄ねじ
８３  雌ねじ
８６  円筒状部分
９０  レンズ
９１  遠位端
９３  本体部材
９５  ソケット
９７  熱交換フィン
９８  導電性接点要素
９９  電気的絶縁材料
１０１  中心ボア
１０３  導体
１０５  サブハウジング
１１１  ライトバルブ
１１２  ライトバルブホルダ
１１５  第１結合要素
１１６  第２接点要素
１１９  電気的絶縁材料
１２０  第２導電体
１２１  第１導電性接点要素
１２２  第２導電性接点要素
１２３  電気的絶縁材料
１２５  第２導電体
【図１】
2016500908.tif 000003
【図２】
2016500908.tif 000004
【図３】
2016500908.tif 000005
【図４】
2016500908.tif 000006
【図５】
2016500908.tif 000007
【図６】
2016500908.tif 000008
【図７】
2016500908.tif 000009
【図８】
2016500908.tif 000010
【図９】
2016500908.tif 000011
【図１０】
2016500908.tif 000012
【図１１】
2016500908.tif 000013
【図１２】
2016500908.tif 000014
【図１３】
2016500908.tif 000015
【図１４】
2016500908.tif 000016
【図１５】
2016500908.tif 000017
【図１６】
2016500908.tif 000018
【図１７】
2016500908.tif 000019
【図１８】
2016500908.tif 000020
【図１９】
2016500908.tif 000021
【図２０】
2016500908.tif 000022
【図２１】
2016500908.tif 000023
【図２２】
2016500908.tif 000024
【図２３】
2016500908.tif 000025
【図２４】
2016500908.tif 000026
【手続補正書】
【提出日】平成27年8月17日(2015.8.17)
【手続補正１】
【補正対象書類名】図面
【補正対象項目名】全図
【補正方法】変更
【補正の内容】
【図１】
2016500908.tif 000027
【図２】
2016500908.tif 000028
【図３】
2016500908.tif 000029
【図４】
2016500908.tif 000030
【図５】
2016500908.tif 000031
【図６】
2016500908.tif 000032
【図７】
2016500908.tif 000033
【図８】
2016500908.tif 000034
【図９】
2016500908.tif 000035
【図１０】
2016500908.tif 000036
【図１１】
2016500908.tif 000037
【図１２】
2016500908.tif 000038
【図１３】
2016500908.tif 000039
【図１４】
2016500908.tif 000040
【図１５】
2016500908.tif 000041
【図１６】
2016500908.tif 000042
【図１７】
2016500908.tif 000043
【図１８】
2016500908.tif 000044
【図１９】
2016500908.tif 000045
【図２０】
2016500908.tif 000046
【図２１】
2016500908.tif 000047
【図２２】
2016500908.tif 000048
【図２３】
2016500908.tif 000049
【図２４】
2016500908.tif 000050
【国際調査報告】
2016500908.tif 000051
2016500908.tif 000052
2016500908.tif 000053
2016500908.tif 000054
2016500908.tif 000055